(57)【要約】  本発明の実施形態は、モビリティ管理方法、装置及びシステムを開示し、無線通信技術の分野に関する。当該方法は、第1のモビリティ管理エンティティにより、4Gネットワークにおいてユーザ装置UEの確立されたPDN接続に関する情報に基づいて、PDN接続に対応するネットワークスライスを決定するステップと、次いで、ユーザ装置の加入ネットワークスライスを参照して、ユーザ装置に対して許可されるネットワークスライスを決定するステップとを含む。したがって、ユーザ装置が4GネットワークにおいてDCNサービスを享受する4Gカバレッジエリアから5G基地局のカバレッジエリアに移動するとき、ユーザ装置は、適切なネットワークスライスにハンドオーバでき、4Gネットワークにおけるネットワークサービスと同等のネットワークサービスを依然として享受できることが確保される。
2020537452.tif 000002
【特許請求の範囲】
【請求項１】
モビリティ管理方法であって、
第1のモビリティ管理エンティティにより、ユーザ装置UEの確立されたPDN接続に関する情報及び加入ネットワークスライスに関する情報を取得するステップと、
前記第1のモビリティ管理エンティティにより、前記確立されたPDN接続に関する前記情報及び前記加入ネットワークスライスに関する前記情報に基づいて、前記UEに対して許可されるネットワークスライスに関する情報を取得するステップと
を含む方法。
【請求項２】
前記確立されたPDN接続に関する前記情報及び前記加入ネットワークスライスに関する前記情報に基づいて、前記UEに対して許可されるネットワークスライスに関する情報を取得するステップは、具体的には、
前記第1のモビリティ管理エンティティにより、前記確立されたPDN接続に関する前記情報に基づいて、前記確立されたPDN接続に対応するネットワークスライスに関する情報を取得するステップと、
前記第1のモビリティ管理エンティティにより、前記確立されたPDN接続に対応する前記ネットワークスライスに関する前記情報及び前記加入ネットワークスライスに関する前記情報に基づいて、前記UEに対して許可される前記ネットワークスライスに関する前記情報を取得するステップである、請求項１に記載の方法。
【請求項３】
前記第1のモビリティ管理エンティティにより、前記確立されたPDN接続に関する前記情報に基づいて、前記確立されたPDN接続に対応するネットワークスライスに関する情報を取得するステップは、具体的には、
前記第1のモビリティ管理エンティティにより、前記確立されたPDN接続に対応するセッション管理機能エンティティから、前記確立されたPDN接続に対応する前記ネットワークスライスに関する前記情報を取得するステップである、請求項２に記載の方法。
【請求項４】
前記第1のモビリティ管理エンティティにより、前記確立されたPDN接続に対応する前記ネットワークスライスに関する前記情報及び前記加入ネットワークスライスに関する前記情報に基づいて、前記UEに対して許可される前記ネットワークスライスに関する前記情報を取得するステップは、具体的には、
前記第1のモビリティ管理エンティティにより、スライス選択要求をネットワークスライス選択機能エンティティに送信するステップであり、前記スライス選択要求は、前記確立されたPDN接続に対応する前記ネットワークスライスに関する前記情報及び前記加入ネットワークスライスに関する前記情報を含む、ステップと、
前記第1のモビリティ管理エンティティにより、前記ネットワークスライス選択機能エンティティにより返信されたスライス選択応答を受信するステップであり、前記スライス選択応答は、前記UEに対して許可される前記ネットワークスライスに関する前記情報を含む、ステップである、請求項２に記載の方法。
【請求項５】
前記確立されたPDN接続に関する前記情報及び前記加入ネットワークスライスに関する前記情報に基づいて、前記UEに対して許可されるネットワークスライスに関する情報を取得するステップは、具体的には、
前記第1のモビリティ管理エンティティにより、スライス選択要求をネットワークスライス選択機能エンティティに送信するステップであり、前記スライス選択要求は、前記確立されたPDN接続に関する前記情報及び前記加入ネットワークスライスに関する前記情報を含む、ステップと、
前記第1のモビリティ管理エンティティにより、前記ネットワークスライス選択機能エンティティにより返信されたスライス選択応答を受信するステップであり、前記スライス選択応答は、前記UEに対して許可される前記ネットワークスライスに関する前記情報を含む、ステップである、請求項１に記載の方法。
【請求項６】
第1のモビリティ管理エンティティにより、ユーザ装置UEの確立されたPDN接続に関する情報及び加入ネットワークスライスに関する情報を取得する前に、当該方法は、
前記第1のモビリティ管理エンティティにより、ネットワークデバイスから第1の要求メッセージを受信するステップであり、前記第1の要求メッセージは、前記確立されたPDN接続に関する前記情報を搬送し、前記第1のモビリティ管理エンティティは、前記ネットワークデバイスにより、前記UEのターゲットアクセス領域に関する情報と、以下のパラメータ、すなわち、前記UEによりアクセスされる専用コアネットワークの識別子又は前記UEのグローバル一意一時識別子GUTIのうち1つとに基づいて決定され、前記GUTIは、前記UEにサービス提供するモビリティ管理エンティティに関する情報を含む、ステップを更に含む、請求項１乃至５のうちいずれか1項に記載の方法。
【請求項７】
前記第1のモビリティ管理エンティティにより、PDN接続ハンドオーバ拒否メッセージを第3のモビリティ管理エンティティに送信するステップであり、前記PDN接続ハンドオーバ拒否メッセージは、ハンドオーバできないPDN接続に関する情報を含む、ステップを更に含む、請求項１乃至６のうちいずれか１項に記載の方法。
【請求項８】
前記PDN接続に関する前記情報は、前記PDN接続に対応するセッション管理機能エンティティの識別子又は前記PDN接続に対応するアクセスポイント名APNである、請求項１乃至７のうちいずれか１項に記載の方法。
【請求項９】
モビリティ管理装置であって、
ユーザ装置UEの確立されたPDN接続に関する情報及び加入ネットワークスライスに関する情報を取得するように構成された第1の取得ユニットと、
前記確立されたPDN接続に関する前記情報及び前記加入ネットワークスライスに関する前記情報に基づいて、前記UEに対して許可されるネットワークスライスに関する情報を取得するように構成された第2の取得ユニットと
を含むモビリティ管理装置。
【請求項１０】
前記第2の取得ユニットが、前記確立されたPDN接続に関する前記情報及び前記加入ネットワークスライスに関する前記情報に基づいて、前記UEに対して許可されるネットワークスライスに関する情報を取得するように構成されることは、具体的には、
前記確立されたPDN接続に関する前記情報に基づいて、前記確立されたPDN接続に対応するネットワークスライスに関する情報を取得することと、
前記確立されたPDN接続に対応する前記ネットワークスライスに関する前記情報、前記加入ネットワークスライスに関する前記情報及び前記UEの位置情報に基づいて、前記UEに対して許可される前記ネットワークスライスに関する前記情報を取得することである、請求項９に記載のモビリティ管理装置。
【請求項１１】
前記確立されたPDN接続に関する前記情報に基づいて、前記確立されたPDN接続に対応するネットワークスライスに関する情報を取得するステップは、具体的には、
前記第1のモビリティ管理エンティティにより、前記確立されたPDN接続に対応するセッション管理機能エンティティから、前記確立されたPDN接続に対応する前記ネットワークスライスに関する前記情報を取得するステップである、請求項１０に記載のモビリティ管理装置。
【請求項１２】
前記第2の取得ユニットが、前記確立されたPDN接続に対応する前記ネットワークスライスに関する前記情報及び前記加入ネットワークスライスに関する前記情報に基づいて、前記UEに対して許可される前記ネットワークスライスに関する前記情報を取得するように構成されることは、具体的には、
スライス選択要求をネットワークスライス選択機能エンティティに送信することであり、前記スライス選択要求は、前記確立されたPDN接続に対応する前記ネットワークスライスに関する前記情報及び前記加入ネットワークスライスに関する前記情報を含む、ことと、
前記ネットワークスライス選択機能エンティティにより返信されたスライス選択応答を受信することであり、前記スライス選択応答は、前記UEに対して許可される前記ネットワークスライスに関する前記情報を含む、ことである、請求項１０に記載のモビリティ管理装置。
【請求項１３】
前記第2の取得ユニットが、前記確立されたPDN接続に関する前記情報及び前記加入ネットワークスライスに関する前記情報に基づいて、前記UEに対して許可されるネットワークスライスに関する情報を取得するように構成されることは、具体的には、
スライス選択要求をネットワークスライス選択機能エンティティに送信することであり、前記スライス選択要求は、前記確立されたPDN接続に関する前記情報及び前記加入ネットワークスライスに関する前記情報を含む、ことと、
前記ネットワークスライス選択機能エンティティにより返信されたスライス選択応答を受信することであり、前記スライス選択応答は、前記UEに対して許可される前記ネットワークスライスに関する前記情報を含む、ことである、請求項１０に記載のモビリティ管理装置。
【請求項１４】
前記確立されたPDN接続に関する前記情報は、前記PDN接続に対応するセッション管理機能エンティティの識別子又は前記PDN接続に対応するアクセスポイント名APNである、請求項１０乃至１３のうちいずれか１項に記載のモビリティ管理装置。
【請求項１５】
モビリティ管理システムであって、
ユーザ装置UEのグローバル一意一時識別子GUTI又は前記UEによりアクセスされる専用コアネットワークの識別子と、前記UEのターゲットアクセス領域に関する情報とに基づいて、第1のモビリティ管理エンティティを取得し、第1の要求メッセージを前記第1のモビリティ管理エンティティに送信するように構成されたネットワークデバイスであり、前記GUTIは、前記UEにサービス提供するモビリティ管理エンティティに関する情報を含む、ネットワークデバイスと、
前記受信した第1の要求メッセージに基づいて、確立されたPDN接続に関する情報及び前記UEの加入ネットワークスライスに関する情報を取得し、前記確立されたPDN接続に関する前記情報及び前記加入ネットワークスライスに関する前記情報に基づいて、前記UEに対して許可されるネットワークスライスに関する情報を取得するように構成された前記第1のモビリティ管理エンティティと
を含むシステム。
【請求項１６】
前記第1の要求メッセージは、ハンドオーバ要求であり、前記第1の要求メッセージは、前記確立されたPDN接続に関する前記情報を含む、請求項１５に記載のシステム。
【請求項１７】
前記第1の要求メッセージは、登録要求であり、前記第1の要求メッセージは、前記GUTIを含み、
前記第1のモビリティ管理エンティティが、前記受信した第1の要求メッセージに基づいて、前記UEの確立されたPDN接続に関する情報を取得するように構成されることは、具体的には、
前記第1のモビリティ管理エンティティにより、前記GUTIに含まれる、前記UEにサービス提供する前記モビリティ管理エンティティに関する前記情報に基づいて、前記UEにサービス提供する前記モビリティ管理エンティティから、前記確立されたPDN接続に関する前記情報を取得することである、請求項１５に記載の方法。
【請求項１８】
前記UEにサービス提供する前記モビリティ管理エンティティMMEに関する前記情報は、前記モビリティ管理エンティティの識別子であり、前記MMEの前記識別子は、前記MMEが属するMMEグループの識別子及び前記MMEコード番号を含み、
前記ネットワークデバイスが、ユーザ装置UEのグローバル一意一時識別子GUTI及び前記UEのターゲットアクセス領域に関する情報に基づいて、第1のモビリティ管理エンティティを取得するように構成されることは、具体的には、
前記ネットワークデバイスにより、前記MMEの前記識別子及び前記ターゲットアクセス領域に関する前記情報に基づいて、前記第1のモビリティ管理エンティティを取得することである、請求項１５乃至１７のうちいずれか１項に記載のシステム。
【請求項１９】
前記UEにサービス提供する前記モビリティ管理エンティティに関する前記情報は、アクセス及びモビリティ管理機能AMFに関する情報であり、前記AMFに関する前記情報は、前記UEにサービス提供するAMFが位置する領域に関する情報及び前記UEにサービス提供する前記AMFが属するセットに関する情報を含み、
前記ネットワークデバイスが、ユーザ装置UEのグローバル一意一時識別子GUTI及び前記UEのターゲットアクセス領域に関する情報に基づいて、第1のモビリティ管理エンティティを取得することは、具体的には、
前記ネットワークデバイスにより、前記UEにサービス提供する前記AMFが位置する前記領域に関する前記情報、前記UEにサービス提供する前記AMFが位置する前記セットに関する前記情報及び前記ターゲットアクセス領域に関する前記情報に基づいて、前記第1のモビリティ管理エンティティを取得することである、請求項１５乃至１７のうちいずれか１項に記載のシステム。
【請求項２０】
プロセッサとメモリとを含むモビリティ管理装置であって、
前記メモリは、コンピュータ実行可能命令を記憶するように構成され、当該モビリティ管理装置が動作するとき、前記プロセッサは、前記メモリに記憶された前記コンピュータ実行可能命令を実行し、それにより、当該モビリティ管理装置は、請求項１乃至８のうちいずれか１項に記載のモビリティ管理方法を実行する、モビリティ管理装置。
【発明の詳細な説明】
【技術分野】
【０００１】
本発明の実施形態は、無線通信技術の分野に関し、特に、モビリティ管理方法、装置及びシステムに関する。
【背景技術】
【０００２】
無線通信技術の急速な発展に伴い、第5世代(Fifth  Generation,  5G)移動通信技術が出現している。ネットワーク配備の初期段階では、5Gネットワークのカバレッジは不十分である。したがって、ユーザ装置(User  Equipment,  UE)の位置が変化したとき、ユーザが同等のサービスを享受できることを確保するために、UEは、5Gネットワークと第4世代(Fourth  Generation,  4G)ネットワークとの間でハンドオーバされる可能性がある。
【０００３】
DCN(dedicated  core  network,  専用コアネットワーク)は、第3世代パートナーシッププロジェクト(3rd  Generation  Partnership  Project,  3GPP)により4Gにおいて定義され且つ特定のタイプのサービスに使用される専用コアネットワークである。DCNは、1つ以上のモビリティ管理エンティティ(Mobility  Management  Entity,  MME)と、1つ以上のサービングゲートウェイ(serving  gateway,  S-GW)/PDNゲートウェイPDN  gateway,  P-GW)/ポリシー及び課金ルール機能(policy  and  charging  rules  function,  PCRF)とを含む。ホーム加入者サーバ(home  subscriber  server,  HSS)のような他のコアネットワーク・ネットワークエレメントは、全てのDCNにより共有される。オペレータは、特定のユーザ(例えば、特定の企業又は別の管理ドメインに属する加入者)を隔離するため、或いは特定のサービス属性(例えば、低遅延高信頼性タイプ)のためにネットワーク機能を調整するために、DCNを配備してもよい。4Gでは、ユーザ装置使用タイプ(UE  Usage  Type)に基づいて、ネットワークがUEのためのDCNを選択する。UEがDCNにアクセスした後に、DCNをサービス提供するMMEは、DCN識別子(DCN  ID)をUEに送信する。UEは、次回DCNにアクセスするときにDCN  IDをRRCメッセージに追加し、基地局は、DCN  IDに基づいて、UEがアクセスする必要があるDCNのMMEを迅速に検出することができる。
【０００４】
ネットワークスライシングの概念は、5Gにおいて導入され,ネットワークスライシングは、DCNのアップグレード版である。5Gネットワークスライシングは、アーキテクチャの点で4G  DCNとは本質的に異なる。4G  DCNでは、DCNは専用ネットワークであり、DCNの間の関連性は存在しない。5Gでは、複数のネットワークスライスは、アクセス及びモビリティ管理機能(access  and  mobility  management  function,  AMF)のグループを共有してもよく、各ネットワークスライスは、スライス固有のセッション管理機能(session  management  function,  SMF)、ユーザプレーン機能(user  plane  function,  UPF)及びポリシー制御機能(policy  control  function,  PCF)を有し、統一データ管理(Unified  Data  Management,  UDM)が全てのスライスの間で共有される。
【０００５】
5Gが導入された後に、5Gと4Gとの間のネットワーク相互接続が存在する。しかし、従来技術では、DCNとネットワークスライスとの間のマッピングは、4Gと5Gとの間の相互接続については考慮されない。例えば、ユーザ装置が4G基地局のカバレッジエリアから5G基地局のカバレッジエリアに移動するとき、ユーザ装置が元の加入サービスと同等の加入サービスを依然として享受できることをどのように確保するかについて、従来技術は、対応する解決策を提供しない。さらに、ユーザが5Gネットワークにおいて移動し、現在UEにサービス提供しているAMFがUEのためのサービスを提供し続けることができないとき、ユーザ装置が他のAMFを使用することにより対応するネットワークスライスにアクセスできることをどのように確保するかについて、従来技術は、対応する解決策を提供しない。
【発明の概要】
【０００６】
本発明の実施形態は、ユーザ装置の位置が変化したとき、対応するネットワークスライスにどのようにアクセスするかの問題を解決するための、モビリティ管理方法、装置及びシステムを提供する。
【０００７】
上記の目的を達成するために、本発明の実施形態は、以下の技術的解決策を提供する。
【０００８】
第1の態様によれば、モビリティ管理方法が提供され、当該方法は、第1のモビリティ管理エンティティにより、ユーザ装置UEの確立されたPDN接続に関する情報及び加入ネットワークスライスに関する情報を取得するステップと、第1のモビリティ管理エンティティにより、確立されたPDN接続に関する情報及び加入ネットワークスライスに関する情報に基づいて、UEに対して許可されるネットワークスライスに関する情報を取得するステップとを含む。確立されたPDN接続に関する情報は、具体的には、PDN接続に対応するセッション管理機能エンティティの識別子又はPDN接続に対応するアクセスポイント名APNでもよい。確立されたPDN接続に関する情報に基づいて、第1のモビリティ管理エンティティは、確立されたPDN接続に対応するネットワークスライスに関する情報を取得でき、さらに、UEの加入ネットワークスライスに関する情報に基づいて、第1のモビリティ管理エンティティは、ハンドオーバできるPDN接続と、5GネットワークにおいてUEのPDN接続がハンドオーバできるネットワークスライスと、許可されるネットワークスライスに関する情報とを決定できる。したがって、ユーザ装置が4GネットワークにおいてDCNサービスを享受する4Gカバレッジエリアから5G基地局のカバレッジエリアに移動するとき、ユーザ装置は、適切なネットワークスライスにハンドオーバでき、元の4Gネットワークにおけるネットワークサービスと同等のネットワークサービスを依然として享受できることが確保される。特に、ユーザ装置は、4GネットワークにおけるPDN接続に対応するネットワークスライスインスタンスにハンドオーバでき、それにより、ユーザ装置が元の4Gネットワークにおけるネットワークサービスと同等のネットワークサービスを享受できる一方で、サービス継続性が確保できる。
【０００９】
第1のモビリティ管理エンティティにより、確立されたPDN接続に関する情報及び加入ネットワークスライスに関する情報に基づいて、UEに対して許可されるネットワークスライスに関する情報を取得するステップは、以下のいくつかの可能な方式で具体的に実現できる。
【００１０】
可能な実現方式では、第1のモビリティ管理エンティティは、確立されたPDN接続に関する情報に基づいて、確立されたPDN接続に対応するネットワークスライスに関する情報を取得し、第1のモビリティ管理エンティティは、確立されたPDN接続に対応するネットワークスライスに関する情報及び加入ネットワークスライスに関する情報に基づいて、UEに対して許可されるネットワークスライスに関する情報を取得する。UEに対して許可されるネットワークスライスに関する取得される情報は、確立されたPDN接続に対応するネットワークスライスに関する情報及び加入ネットワークスライスに関する情報に基づいて、第1のモビリティ管理エンティティ自身により具体的に決定でき、或いは、第1のモビリティ管理エンティティは、UEに対して許可されるネットワークスライスに関する取得される情報を決定するように、ネットワークスライス選択機能エンティティに要求してもよい。例えば、第1のモビリティ管理エンティティは、スライス選択要求をネットワークスライス選択機能エンティティに送信し、スライス選択要求は、確立されたPDN接続に対応するネットワークスライスに関する情報及び加入ネットワークスライスに関する情報を含み、第1のモビリティ管理エンティティは、ネットワークスライス選択機能エンティティにより返信されたスライス選択応答を受信し、スライス選択応答は、UEに対して許可されるネットワークスライスに関する情報を含む。第1のモビリティ管理エンティティが、確立されたPDN接続に関する情報に基づいて、確立されたPDN接続に対応するネットワークスライスに関する情報を取得することは、具体的には、第1のモビリティ管理エンティティにより、確立されたPDN接続に対応するセッション管理機能エンティティから、確立されたPDN接続に対応するネットワークスライスに関する情報を取得することでもよい。
【００１１】
確立されたPDN接続に関する情報がPGW-C/SMFのFQDNであり、FQDNがネットワークスライスに関する情報を含むとき、第1のモビリティ管理エンティティ又はネットワークスライス選択機能エンティティは、FQDNに基づいて、PDN接続に対応するネットワークスライスに関する情報を決定してもよい。確立されたPDN接続に関する情報がPGW-C/SMFのIPアドレスであるとき、第1のモビリティ管理エンティティ又はネットワークスライス選択機能エンティティは、PGW-C/SMFのFQDNを取得するために、IPアドレスに基づいてドメインネームシステム(domain  name  system,  DNS)を逆に照会し、上記の方法に従って、PDN接続に対応するネットワークスライスに関する情報を更に取得してもよい。確立されたPDN接続に関する情報がAPNであるとき、第1のモビリティ管理エンティティ又はネットワークスライス選択機能エンティティは、APNとS-NSSAIとの間の予め設定されたマッピング関係に基づいて、PDN接続に対応するネットワークスライスに関する情報を決定する。
【００１２】
可能な実現方式では、第1のモビリティ管理エンティティは、UEに対して許可されるネットワークスライスに関する情報を決定するように、ネットワークスライス選択機能エンティティに要求してもよい。確立されたPDN接続に関する情報及び加入ネットワークスライスに関する情報に基づいて、UEに対して許可されるネットワークスライスに関する情報を取得するステップは、具体的には、第1のモビリティ管理エンティティにより、スライス選択要求をネットワークスライス選択機能エンティティに送信するステップであり、スライス選択要求は、確立されたPDN接続に関する情報及び加入ネットワークスライスに関する情報を含む、ステップと、第1のモビリティ管理エンティティにより、ネットワークスライス選択機能エンティティにより返信されたスライス選択応答を受信するステップであり、スライス選択応答は、UEに対して許可されるネットワークスライスに関する情報を含む、ステップである。
【００１３】
他の可能な実現方式では、第1のモビリティ管理エンティティにより、ユーザ装置UEの確立されたPDN接続に関する情報を取得する前に、当該方法は、第1のモビリティ管理エンティティにより、ネットワークデバイスから第1の要求メッセージを受信するステップであり、第1の要求メッセージは、確立されたPDN接続に関する情報を搬送し、第1のモビリティ管理エンティティは、ネットワークデバイスにより、ターゲットアクセス領域に関する情報と、以下のパラメータ、すなわち、UEによりアクセスされる専用コアネットワークの識別子又はUEのグローバル一意一時識別子GUTIのうち1つとに基づいて決定され、GUTIは、UEにサービス提供するモビリティ管理エンティティに関する情報を含む、ステップを更に含む。第1の要求メッセージは、図３の実施形態のステップ303又は図４の実施形態のステップ403におけるハンドオーバ要求でもよく、ネットワークデバイスは、ハンドオーバの前にUEのためのアクセスサービスを提供するモビリティ管理エンティティMMEでもよい。
【００１４】
UEの位置が変化するので、現在UEにサービス提供しているモビリティ管理エンティティは、UEの全てのPDN接続を5Gネットワークにおける適切なネットワークスライスにハンドオーバしない可能性がある。4GネットワークにおけるUEの確立されたPDN接続の中でハンドオーバできないPDN接続について、第1のモビリティ管理エンティティは、PDN接続ハンドオーバ拒否メッセージを第3のモビリティ管理エンティティに送信し、PDN接続ハンドオーバ拒否メッセージは、ハンドオーバできないPDN接続に関する情報を含む。第3のモビリティ管理エンティティは、ハンドオーバできないPDN接続を解放し、第3のモビリティ管理エンティティは、4GネットワークにおけるMMEでもよい。
【００１５】
第2の態様によれば、モビリティ管理方法が提供され、当該方法は、ネットワークデバイスにより、ユーザ装置UEのグローバル一意一時識別子GUTIを取得するステップであり、GUTIは、UEにサービス提供するモビリティ管理エンティティに関する情報を含む、ステップと、ネットワークデバイスにより、UEにサービス提供するモビリティ管理エンティティに関する情報及びターゲットアクセス領域に関する情報に基づいて、モビリティハンドオーバを実行するべきモビリティ管理エンティティを取得するステップとを含む。具体的には、マッピング関係は、ネットワークデバイスにおいて構成されてもよく、ネットワークデバイスは、モビリティハンドオーバを実行するべきモビリティ管理エンティティを決定するために、UEにサービス提供するモビリティ管理エンティティに関する情報及びターゲットアクセス領域に関する情報に基づいて、マッピング関係を照会する。代替として、マッピング関係は、ネットワークにおける他のデバイスに記憶されてもよく、ネットワークデバイスは、モビリティハンドオーバを実行するべきモビリティ管理エンティティを取得するために、照会要求を他のデバイスに送信してもよい。UEの位置が変化したとき、モビリティハンドオーバを実行するべきモビリティ管理エンティティは、この実施形態においいて提供される方法に従って迅速に決定できる。
【００１６】
可能な実現方式では、UEにサービス提供するモビリティ管理エンティティに関する情報は、AMFに関する情報であり、AMFに関する情報は、UEにサービス提供するAMFが位置する領域に関する情報と、UEにサービス提供するAMFが属するセットに関する情報とを含み、ネットワークデバイスにより、UEにサービス提供するモビリティ管理エンティティに関する情報及びターゲットアクセス領域に関する情報に基づいて、モビリティハンドオーバを実行するべきモビリティ管理エンティティを決定するステップは、具体的には、ネットワークデバイスにより、UEにサービス提供するAMFが位置する領域に関する情報、UEにサービス提供するAMFが属するセットに関する情報、及びターゲットアクセス領域に関する情報に基づいて、モビリティハンドオーバを実行するべきモビリティ管理エンティティを決定するステップである。この実施形態において提供される方法によれば、5Gネットワークから4GネットワークへのUEのハンドオーバの間、或いは、UEが5Gネットワーク内で移動するとき、モビリティハンドオーバを実行するべきモビリティ管理エンティティが迅速に決定できる。
【００１７】
可能な実現方式では、UEにサービス提供するモビリティ管理エンティティに関する情報は、MMEの識別子であり、MMEの識別子は、MMEが属するMMEグループの識別子及びMMEのコード番号を含み、ネットワークデバイスにより、UEにサービス提供するモビリティ管理エンティティに関する情報及びターゲットアクセス領域に関する情報に基づいて、モビリティハンドオーバを実行するべきモビリティ管理エンティティを決定するステップは、具体的には、ネットワークデバイスにより、MMEの識別子及びターゲットアクセス領域に関する情報に基づいて、モビリティハンドオーバを実行するべきモビリティ管理エンティティを決定するステップである。ネットワークデバイスにより、MMEの識別子及びターゲットアクセス領域に関する情報に基づいて、モビリティハンドオーバを実行するべきモビリティ管理エンティティを決定するステップは、2つの可能な方式で実現されてもよい。1つの実現方式では、ネットワークデバイスは、モビリティハンドオーバを実行するべきモビリティ管理エンティティを決定するために、MMEの識別子及びターゲットアクセス領域に関する情報に基づいて、ローカル又は他のデバイスに記憶されたマッピング関係を照会する。他の実現方式では、ネットワークデバイスは、MMEの識別子におけるMMEグループの識別子に基づいて、初期AMF領域識別子を決定し、MMEのコード番号に基づいて、初期AMFセット識別子を取得するか、或いは、MMEの識別子におけるMMEグループの識別子に基づいて、初期AMF領域識別子及び初期AMFセット識別子を決定する。ターゲットアクセス領域に関する情報に対応する領域が、初期AMF領域識別子により示される領域内にあるとき、ネットワークデバイスは、初期AMFセット識別子により示されるAMFセットから1つのAMFを、モビリティハンドオーバを実行するべきモビリティ管理エンティティとして選択する。ターゲットアクセス領域に関する情報に対応する領域が、初期AMF領域識別子により示される領域内にないとき、ネットワークデバイスは、初期AMF領域識別子、初期AMFセット識別子及びターゲットアクセス領域に関する情報に基づいて、対応するターゲットAMFセットを取得し、ターゲットAMFセットから1つのAMFを、モビリティハンドオーバを実行するべきモビリティ管理エンティティとして選択する。この実施形態において提供される方法によれば、UEが4Gネットワークから5Gネットワークに移動するとき、モビリティハンドオーバを実行するべきモビリティ管理エンティティが迅速に決定できる。
【００１８】
ネットワークデバイスは、基地局でもよく、或いは、4Gネットワーク又は5Gネットワークにおけるモビリティ管理エンティティでもよい。
【００１９】
第3の態様によれば、モビリティ管理装置が提供され、モビリティ管理装置は、第1及び/又は第2の態様による方法を実現する機能を有する。機能は、ハードウェアにより実現されてもよく、或いは、対応するソフトウェアを実行するハードウェアにより実現されてもよい。ハードウェア又はソフトウェアは、機能に対応する1つ以上のモジュールを含む。
【００２０】
第4の態様によれば、モビリティ管理装置が提供され、プロセッサとメモリとを含む。メモリは、コンピュータ実行可能命令を記憶するように構成され、モビリティ管理装置が動作するとき、プロセッサは、メモリに記憶されたコンピュータ実行可能命令を実行し、それにより、モビリティ管理装置は、第1の態様及び第2の態様のいずれかによるモビリティ管理方法を実行する。
【００２１】
第5の態様によれば、コンピュータ読み取り可能記憶媒体が提供され、コンピュータ読み取り可能記憶媒体は命令を記憶し、命令がコンピュータ上で実行されたとき、コンピュータは、第1の態様のいずれかの可能な実現方式によるモビリティ管理方法を実行してもよい。
【００２２】
第6の態様によれば、命令を含むコンピュータプログラムプロダクトが提供され、コンピュータプログラムプロダクトがコンピュータ上で実行されたとき、コンピュータは、第1の態様及び第2の態様のいずれかによるモビリティ管理方法を実行してもよい。
【００２３】
第7の態様によれば、チップシステムが提供され、チップシステムは、上記の態様における機能を実現する際にモビリティ管理装置をサポートするように構成されたプロセッサを含む。可能な設計では、チップシステムは、メモリを更に含み、メモリは、モビリティ管理装置に必要なプログラム命令及びデータを記憶するように構成される。チップシステムは、チップを含んでもよく、或いは、チップ及び他の個別のデバイスを含んでもよい。
【００２４】
第3の態様〜第7の態様におけるいずれかの設計方式によりもたらされる技術的効果については、第1の態様及び第2の態様における異なる設計方式によりもたらされる技術的効果を参照する。詳細は、ここでは再び説明しない。
【図面の簡単な説明】
【００２５】
【図１】この出願の実施形態によるモビリティ管理システムのアーキテクチャの概略図である。
【図２】この出願の実施形態によるモビリティ管理装置のハードウェア構造の概略図である。
【図３】この出願の実施形態によるモビリティ管理方法の概略フローチャートである。
【図４】この出願の実施形態による他のモビリティ管理方法の概略フローチャートである。
【図５】この出願の実施形態によるもう1つの他のモビリティ管理方法の概略フローチャートである。
【図６】この出願の実施形態による更に他のモビリティ管理方法の概略フローチャートである。
【図７】この出願の実施形態によるもう1つの更に他のモビリティ管理方法の概略フローチャートである。
【図８】この出願の実施形態による更なるモビリティ管理方法の概略フローチャートである。
【図９】この出願の実施形態によるもう1つの更なるモビリティ管理方法の概略フローチャートである。
【図１０】この出願の実施形態による更に更なるモビリティ管理方法の概略フローチャートである。
【図１１】この出願の実施形態によるモビリティ管理装置の概略構造図である。
【図１２】この出願の実施形態によるモビリティ管理システムの概略図である。
【発明を実施するための形態】
【００２６】
本発明の目的、技術的解決策及び利点をより明確にするために、以下に、添付の図面を参照して本発明の実施形態について更に説明する。明らかに、説明する実施形態は、本発明の実施形態の全部ではなく、単なる一部である。方法の実施形態における特定の動作方法はまた、装置の実施形態又はシステムの実施形態に適用されてもよい。
【００２７】
本発明の実施形態における技術的解決策についてより明確に説明するために、ネットワークアーキテクチャ及びサービスシナリオが本発明の実施形態において記載されるが、本発明の実施形態において提供される技術的解決策に対する限定を構成しない。当業者は、ネットワークアーキテクチャが進化して新たなサービスシナリオが出現するにつれて、本発明の実施形態において提供される技術的解決策がまた、同様の技術的課題にも適用可能であることを理解し得る。
【００２８】
本発明の実施形態において提供されるモビリティ管理方法は、図１に示すシステム100において適用できる。システム100において、進化型ユニバーサル地上無線アクセスネットワーク(evolved  universal  terrestrial  radio  access  network,  E-UTRAN)は、少なくとも4G基地局(例えば、e-NodeB)を含み、次世代無線アクセスネットワーク(NG  Radio  Access  Network,  NG-RAN)は、少なくとも5G基地局を含む。この出願におけるユーザ装置UEは、様々なハンドヘルドデバイス、車載デバイス、ウェアラブルデバイス及び無線通信機能を有する計算デバイス、又は無線モデムに接続された他の処理デバイス、及び様々な形式のユーザ装置(User  Equipment,  UE)、端末(terminal)、端末装置(Terminal  Equipment)、ソフトウェア端末等を含んでもよい。説明を容易にするために、この出願では、上記のデバイスは、まとめてユーザ装置又はUEと呼ばれる。図１に示す4Gと5Gとの間の相互接続のアーキテクチャでは、4Gネットワーク及び5Gネットワークは、UPF+PGW-U、SMF+PGW-C、PCF+PCRF又はUDM+HSSを共有する。ここでの「+」は、5Gにおける関連するネットワーク機能エンティティと4Gにおけるネットワークエレメントとの同一配置を表す。例えば、UPFは5Gにおけるユーザプレーン機能であり、PGW-UはUPFに対応する4Gにおけるゲートウェイユーザプレーン機能であり、UPF+PGW-Uは本発明の実施形態ではユーザプレーン機能エンティティと略称され、SMFは5Gにおけるセッション管理機能であり、PGW-CはSMFに対応する4Gにおけるゲートウェイ制御プレーン機能であり、SMF+PGW-Cはセッション管理機能エンティティと略称され、PCFは5Gにおけるポリシー制御機能であり、PCRFは4Gにおける対応するポリシー及び課金ルール機能であり、PCF+PCRFはポリシー制御機能と略称され、UDMは5Gにおける統一データ管理であり、HSSは4Gにおけるホーム加入者サーバであり、HSS+UDMはユーザデータ管理エンティティと略称される。相互接続アーキテクチャでは、MME及びAMFは、N26インタフェースを通じて相互に相互接続し、インタフェースは、UEのコンテキストの転送及びハンドオーバプロセスに使用される。さらに、4Gネットワークにおける基地局は、SGWを通じてPGW-C/Uに接続される。図面における関連するインタフェースについては、従来技術を参照する。詳細は、本発明の実施形態では説明しない。
【００２９】
さらに、図１におけるネットワークスライス選択機能(network  slice  selection  function,  NSSF)エンティティは、ネットワークスライスを選択するように構成される。AMFがUEのためのネットワークスライスを選択できないとき、AMFは、UEのためのネットワークスライスを選択するように、NSSFに要求する。
【００３０】
UEがE-UTRANカバレッジエリアからNG-RANカバレッジエリアに或いはNG-RANカバレッジエリアからE-UTRANカバレッジエリアに移動するとき、或いは、UEが移動するという理由で現在UEにサービス提供しているAMFがUEのためのサービスを提供し続けることができないとき、本発明の実施形態において提供されるモビリティ管理方法がトリガされる。
【００３１】
4Gネットワークから5Gネットワークへのユーザ装置のハンドオーバの間に、ユーザ装置のサービス継続性を確保するために、4Gネットワークにおけるユーザ装置のPDN接続は、5Gにおける対応するネットワークスライスインスタンス内のPDUセッションにマッピングされる必要がある。MMEは場合によってはネットワークスライスを選択するのに失敗するので、ユーザ装置が4GネットワークにおけるPDN接続から5GコアネットワークにおけるPDUセッションにハンドオーバされる必要があるとき、MMEは、場合によってはユーザ装置のために適切なAMFを選択するのに失敗する。可能な実現方式では、MMEは、デフォルトAMFを選択する。MMEにより送信されたハンドオーバ要求を受信した後に、デフォルトAMFは、ターゲットAMFをユーザ装置に割り当てるように、NSSFに要求してもよい。他の可能な実現方式では、DCN識別子とAMFセットとの間のマッピング関係がMMEにおいて構成され、MMEは、ユーザ装置に対応するDCN識別子に基づいてターゲットAMFを決定する。ユーザ装置が5Gにハンドオーバされた後に、新たなPDUセッションがその後に更に作成されると考えられる。したがって、5Gコアネットワークは、ユーザ装置に対して許可されるネットワークスライスに関する情報(Allowed  Network  Slice  Selection  Assistance  Information,  Allowed  NSSAI)を更に決定する必要がある。
【００３２】
具体的には、5Gコアネットワークは、まず、4Gネットワークにおけるユーザ装置の確立されたPDN接続に関する情報に基づいて、PDN接続に対応するネットワークスライスを決定し、次いで、ユーザ装置の加入ネットワークスライス及びユーザ装置の位置を参照して、5GコアネットワークにハンドオーバできるPDN接続及びユーザ装置に対して許可されるネットワークスライスを決定する。
【００３３】
さらに、5Gネットワークから4Gネットワークへのユーザ装置のハンドオーバの間に、5Gコアネットワーク(AMF)は、ユーザデータ管理エンティティからユーザ装置使用タイプ(UE  usage  type)を取得し、UE使用タイプに基づいてターゲットMMEを選択する。全てのPDUセッションが4Gネットワークにハンドオーバできるのではないので、いくつかのPDUセッションは、ハンドオーバプロセスにおいて廃棄される必要がある可能性がある。
【００３４】
図２に示すように、MME、AMF、E-UTRAN又はNG-RANのような図１に示すノードは、図２におけるコンピュータデバイス(又はシステム)の形式で実現されてもよい。
【００３５】
図２は、本発明の実施形態によるコンピュータデバイスの概略図である。コンピュータデバイス200は、少なくとも1つのプロセッサ21と、通信バス22と、メモリ23と、少なくとも1つの通信インタフェース24とを含む。
【００３６】
プロセッサ21は、汎用中央処理装置(CPU)、マイクロプロセッサ、特定用途向け集積回路(application-specific  integrated  circuit,  ASIC)又は本発明の解決策のプログラム実行を制御するように構成された1つ以上の集積回路でもよい。
【００３７】
通信バス22は、情報が上記の構成要素の間で転送される経路を含んでもよい。通信インタフェース24は、イーサネット、無線アクセスネットワーク(RAN)又は無線ローカルエリアネットワーク(Wireless  Local  Area  Networks,  WLAN)のような他のデバイス又は他の通信ネットワークと通信するために、トランシーバのようないずれかの装置を使用する。
【００３８】
メモリ23は、読み取り専用メモリ(read-only  memory,  ROM)若しくは静的な情報及び命令を記憶できる他のタイプの静的記憶デバイス、ランダムアクセスメモリ(random  access  memory,  RAM)若しくは情報及び命令を記憶できる他のタイプの動的記憶デバイス、電気的消去可能プログラム可能読み取り専用メモリ(Electrically  Erasable  Programmable  Read-Only  Memory,  EEPROM)、コンパクトディスク読み取り専用メモリ(Compact  Disc  Read-Only  Memory,  CD-ROM)若しくは他のコンパクトディスクストレージ、光ディスクストレージ(コンパクトディスク、レーザディスク、光ディスク、デジタル多用途ディスク、ブルーレイディスク等を含む)、磁気ディスク記憶媒体若しくは他の磁気記憶デバイス、又は命令若しくはデータ構造の形式で想定されるプログラムコードを搬送若しくは記憶するために使用され且つコンピュータによりアクセスできるいずれかの他の媒体でもよいが、これらに限定されない。メモリは、独立して存在してもよく、バスを使用することによりプロセッサに接続される。代替として、メモリは、プロセッサと統合されてもよい。
【００３９】
メモリ23は、本発明の解決策を実行するために使用されるアプリケーションプログラムコードを記憶するように構成され、実行はプロセッサ21により制御される。プロセッサ21は、メモリ23に記憶されたアプリケーションプログラムコードを実行するように構成される。
【００４０】
具体的な実現方式の中で、実施形態では、プロセッサ21は、1つ以上のCPU、例えば、図２におけるCPU0及びCPU1を含んでもよい。
【００４１】
具体的な実現方式の中で、実施形態では、コンピュータデバイス200は、複数のプロセッサ、例えば、図２におけるプロセッサ21及びプロセッサ28を含んでもよい。これらのプロセッサのそれぞれは、シングルコア(single-CPU)プロセッサでもよく、或いは、マルチコア(multi-CPU)プロセッサでもよい。ここでのプロセッサは、データ(例えば、コンピュータプログラム命令)を処理するように構成された1つ以上のデバイス、回路及び/又は処理コアでもよい。
【００４２】
具体的な実現方式の中で、実施形態では、コンピュータデバイス200は、出力デバイス25及び入力デバイス26を更に含んでもよい。出力デバイス25は、プロセッサ21と通信し、複数の方式で情報を表示してもよい。例えば、出力デバイス25は、液晶ディスプレイ(liquid  crystal  display,  LCD)、発光ダイオード(light  emitting  diode,  LED)ディスプレイデバイス、陰極線管(cathode  ray  tube,  CRT)ディスプレイデバイス、プロジェクタ(projector)等でもよい。入力デバイス26は、プロセッサ21と通信し、複数の方式でユーザの入力を受け取ってもよい。例えば、入力デバイス26は、マウス、キーボード、タッチスクリーンデバイス、センサデバイス等でもよい。
【００４３】
上記のコンピュータデバイス200は、汎用コンピュータデバイス又は専用コンピュータデバイスでもよい。具体的な実現方式の中で、コンピュータデバイス200は、デスクトップコンピュータ、ポータブルコンピュータ、ネットワークサーバ、パーソナルデジタルアシスタント(Personal  Digital  Assistant,  PDA)、携帯電話、タブレットコンピュータ、無線端末デバイス、通信デバイス、内蔵デバイス又は図２における構造と同様の構造を有するデバイスでもよい。本発明の実施形態は、コンピュータデバイス200のタイプに限定を課さない。
【００４４】
例えば、MME、AMF、E-UTRAN又はNG-RANのような図１におけるノードは、図２に示すデバイスでもよい。1つ以上のソフトウェアモジュールは、MMEのメモリに記憶される。ソフトウェアモジュールは、プロセッサ及びメモリ内のプログラムコードを使用することにより、MMEがモビリティ管理方法を実現するために使用されてもよい。
【００４５】
以下に、フローチャートを参照して、本発明のこの実施形態において提供されるモビリティ管理方法について説明する。
【００４６】
図３は、モビリティ管理方法の概略フローチャートである。この実施形態では、UEは、現在、ソース基地局(4Gネットワークにおける基地局、例えば、E-UTRAN)を使用することにより4Gネットワークにアクセスしており、UEは接続状態にある。ソース基地局が、UEがハンドオーバされる必要があることを検出したとき、ソース基地局は、ターゲット基地局を選択する。この実施形態では、ソース基地局により選択されるターゲット基地局は、5Gコアネットワークに接続された基地局(例えば、NG-RAN)である。ソース基地局は、ハンドオーバ手順を開始するために、4Gネットワークにおけるユーザ装置のためのDCNサービスを提供するMMEにハンドオーバ要求を送信する。
【００４７】
ステップ301:ソース基地局は、第1の要求メッセージをMMEに送信し、第1の要求メッセージは、ターゲットアクセス領域に関する情報を含む。MMEは、第1の要求メッセージを受信する。
【００４８】
具体的には、第1の要求メッセージはハンドオーバ要求(Handover  Request)でもよく、第1の要求メッセージは、ユーザ装置により報告されたセル測定情報に基づいて判断が行われた後に、ソース基地局によりMMEに送信されてもよい。任意選択で、第1の要求メッセージは、ユーザ装置を決定するために使用できる情報、例えば、UEの識別子を更に含む。ターゲットアクセス領域に関する情報は、ターゲットセルの識別子、ターゲット基地局の識別子及びターゲットトラッキングエリアの識別子のうち少なくとも1つを含んでもよい。ターゲットセルの識別子は、ターゲットセルを一意に識別するために使用され、ターゲットセルは、UEによりアクセスされるべきセルである。ターゲット基地局の識別子は、ターゲット基地局を一意に識別するために使用され、ターゲット基地局は、アクセス対象のセルが属する基地局である。ターゲットトラッキングエリアの識別子は、ターゲットトラッキングエリアを一意に識別するために使用され、ターゲットトラッキングエリアは、アクセス対象のセルが位置するトラッキングエリアである。
【００４９】
ステップ302:MMEは、初期AMFを決定する。
【００５０】
具体的には、MMEは、ターゲットアクセス領域に関する情報に基づいて、ハンドオーバ要求が異なるネットワークの間のハンドオーバのためのものであるか否かを決定してもよい。例えば、ターゲットアクセス領域に関する情報がターゲット基地局の識別子を含むとき、MMEは、ターゲット基地局の識別子に基づいて、ターゲット基地局のタイプを決定し、タイプに基づいて、第1の要求メッセージが異なるネットワークの間のハンドオーバのためのものであるか否かを決定してもよい。本発明のこの実施形態におけるシナリオでは、ターゲット基地局は5Gネットワークにおける基地局である。したがって、MMEは、第1の要求メッセージがシステム間ハンドオーバのためのものであると決定する。システム間ハンドオーバを実現するために、MMEは、第1の要求メッセージで搬送されるターゲットアクセス領域に関する情報に基づいて、ハンドオーバ動作を実行するべきAMFを決定する必要がある。
【００５１】
可能な実現方式では、MMEとAMFセットとの間のマッピング関係は、MMEにおいて構成される。MMEとAMFセットとの間のマッピング関係は、以下の表に示すように、DCN  IDと、ターゲット領域と、対応するAMFセットとの間の対応関係、又はMMEの識別子と、ターゲット領域と、対応するAMFセットとの間の対応関係を記録する。
【表１】
2020537452.tif 000003
【００５２】
MMEの識別子は、MMEグループ識別子(MMEGI)及びMMEコード番号(MME  Code)を含む。ソース基地局により送信された第1の要求メッセージを受信した後に、MMEは、第1の要求メッセージで搬送されるUEの識別子に基づいて、UEのコンテキストを取得する。コンテキストは、UEによりアクセスされる専用コアネットワークの識別子、又はUEにサービス提供するモビリティ管理エンティティの識別子を含む。MMEは、ターゲットアクセス領域に関する情報に基づいて、対応するターゲット領域を決定し、マッピング関係及びUEによりアクセスされる専用コアネットワークの識別子又はUEにサービス提供するモビリティ管理エンティティの識別子を参照して、対応するAMFセットを更に決定し、対応するポリシーに従って、決定されたAMFセットから1つのAMFを、初期AMFとして選択する。ポリシーは、具体的には、AMFセット内のAMFの優先度、容量、負荷等のような情報に基づいてAMFセットから1つのAMFを決定するための方法でもよい。
【００５３】
他の可能な実現方式では、MMEグループ識別子(MMEGI)及びMMEコード番号(MME  Code)は、UEのグローバル一意一時識別子(Global  Unique  Temporary  Identity,  GUTI)で搬送される。ソース基地局により送信された第1の要求メッセージを受信したとき、MMEは、UEのコンテキストを取得し、コンテキストはUEのGUTIを含み、MMEは、UEのGUTI及びマッピングルールに基づいて、AMFセットを直接決定できる。マッピングルールに従って、UEのGUTI内のMMEGIは、AMF領域識別子(AMF  Region  ID)に具体的にマッピングされ、MMEコード番号(MME  Code)は、AMFセット識別子(AMF  Set  ID)にマッピングされる。MMEは、マッピングされたAMF  Region  ID及びAMF  Set  ID並びにターゲットアクセス領域に関する情報に基づいて、ターゲットAMFセット及びAMFを決定する。ターゲットアクセス領域に関する情報が、マッピングされたAMF  Region  IDに対応するAMF領域内にある場合、マッピングされたAMF  Region  ID及びAMF  Set  IDに対応するAMFセット内のAMFが初期AMFとして選択され、そうでない場合、ターゲットAMFセット及びAMFは、マッピングされたAMF  Region  ID及びAMF  Set  ID並びにターゲットアクセス領域に関する情報に基づいて選択される。上記の選択をサポートするために、以下の表がシステムについて構成される。
【表２】
2020537452.tif 000004
【００５４】
例えば、MMEは、マッピングルールに従って、AMF領域がXであり、AMFセットがAであり、ターゲットアクセス領域に関する情報に対応するターゲット領域YがX内にないと決定する。MMEは、システムについての上記の構成テーブルに従って、適切なAMFセットがBであると決定し、予め設定されたポリシーに従って、Bから1つのAMFを、初期AMFとして選択する。
【００５５】
初期AMFを決定するための方法によれば、MMEは、MME自身により初期AMFを決定でき、或いは、ネットワークにおける他のデバイス、例えば、ドメインネームシステム(domain  name  system,  DNS)を照会することにより初期AMFを決定してもよい。MMEがDNSを照会することにより初期AMFを決定するとき、上記の表１及び表２がDNSにおいて構成される。MMEは、関連情報をDNSに送信し、DNSは選択された初期AMFをMMEに返信する。
【００５６】
ステップ303:MMEは、第2の要求メッセージを、決定された初期AMF(すなわち、図３におけるAMF1)に送信し、第2の要求メッセージは、確立されたPDN接続に関する情報を搬送する。AMF1は、MMEにより送信された第2の要求メッセージを受信する。
【００５７】
具体的には、第2の要求メッセージはハンドオーバ要求でもよい。確立されたPDN接続に関する情報は、PDN接続に対応するPGW-C/SMFに関する情報を含み、例えば、PGW-C/SMFのインターネットプロトコルアドレス(IPアドレス)又は完全修飾ドメイン名(Fully  Qualified  Domain  Name,  FQDN)を含んでもよい。任意選択で、PDN接続に関する情報は、代替として、PDN接続に対応するアクセスポイント名(access  point  name,  APN)でもよい。
【００５８】
ステップ304:MMEにより送信された第2の要求メッセージを受信した後に、AMF1は、第2の要求メッセージで搬送される確立されたPDN接続に関する情報に基づいて、確立されたPDN接続に対応するネットワークスライスに関する情報を取得する。
【００５９】
ユーザ装置は、4Gネットワークにおいて複数のPDN接続を以前に確立しておいてもよい点に留意すべきである。したがって、ここでの確立されたPDN接続に関する情報は、複数のPDN接続を示してもよく、各PDN接続に対応するネットワークスライスに関する情報は、このステップにおいて決定できる。
【００６０】
具体的には、可能な実現方式では、確立されたPDN接続に関する情報がPGW-C/SMFのFQDNであり、FQDNがネットワークスライスに関する情報を含むとき、単一ネットワークスライス選択支援情報(Single  Network  Slice  Selection  Assistance  Information,  S-NSSAI)及びネットワークスライスインスタンス(Network  Slice  Instance,  NSI)の識別子のようなPDN接続に対応するネットワークスライスに関する情報は、FQDNに基づいて決定できる。確立されたPDN接続に関する情報がPGW-C/SMFのIPアドレスであるとき、AMF1は、PGW-C/SMFのFQDNを取得するために、IPアドレスに基づいてドメインネームシステム(domain  name  system,  DNS)を逆に照会し、上記の方法に従って、PDN接続に対応するネットワークスライスに関する情報を更に取得できる。
【００６１】
他の可能な実現方式では、確立されたPDN接続に関する情報がAPNであるとき、APNとS-NSSAIとの間のマッピング関係は、AMF1において予め設定される必要がある。第2のハンドオーバ要求を受信したとき、AMF1は、マッピング関係及び第2のハンドオーバ要求で搬送されるAPNに基づいて、PDN接続に対応するS-NSSAIを決定する。この実現方式に対して制約が存在する点に留意すべきである。具体的には、UEがその後に4GネットワークにおけるPDN接続から5GネットワークにおけるPDUセッションにハンドオーバされるときにサービス継続性を確保するために、AMF1は、PDN接続に対応するS-NSSAIが1つのネットワークスライスインスタンスのみに対応するときにのみ、APNに基づいてPDN接続に対応するネットワークスライスインスタンスを正確に決定できる。PDN接続に対応するS-NSSAIが複数のネットワークスライスインスタンスに対応するとき、当該方法に従って4GネットワークにおけるPDN接続から5GネットワークにおけるPDUセッションへのUEのハンドオーバの間に、同様のネットワークサービスがUEのために提供され得るが、UEがPDN接続に対応するS-NSSAIに対応する他のネットワークスライスインスタンスにアクセスし得るので、短時間のサービス中断が発生する可能性がある。
【００６２】
他の可能な実現方式では、確立されたPDN接続に関する情報がPGW-C/SMFの識別子(FQDN又はIPアドレス)であるとき、AMF1は、PGW-C/SMFの識別子に基づいて、PDN接続に対応するネットワークスライスを取得するための要求をPGW-C/SMFに送信する。PGW-C/SMFは、PGW-C/SMFが属するネットワークスライスに関する情報を決定し、応答メッセージをAMF1に返信し、応答メッセージは、PDN接続に対応するネットワークスライスに関する情報を搬送する。
【００６３】
ステップ305:AMF1は、ユーザデータ管理エンティティ(HSS/UDM)からUEの加入データを取得する。
【００６４】
具体的には、5Gにおけるネットワークスライスに関連する加入データは、4Gにおける加入データとは異なるので、5GにおけるUEの加入ネットワークスライスは、UE使用タイプにより直接マッピングできない。したがって、AMF1は、ユーザデータ管理エンティティから、加入S-NSSAIを含むUEの加入ネットワークスライスに関する情報を取得する必要がある。任意選択で、加入ネットワークスライスに関する情報は、加入S-NSSAIに対応するDNNのような情報を更に含む。
【００６５】
ステップ304及びステップ305は、交換されてもよく、或いは、同時に実行されてもよい点に留意すべきである。本発明のこの実施形態は、304及び305の順序に限定を課さない。
【００６６】
ステップ306:AMF1は、スライス選択要求をネットワークスライス選択機能(NSSF)に送信する。NSSFは、AMF1により送信されたスライス選択要求を受信する。
【００６７】
AMF1がPDN接続に関する情報に基づいてPDN接続に対応するネットワークスライスを決定する解決策は、本発明のこの実施形態では、ステップ304において提供される点に留意すべきである。実際には、PDN接続に関する情報に基づいてPDN接続に対応するネットワークスライスを決定することはまた、NSSFにより実現できる。
【００６８】
具体的には、AMF1がPDN接続に関する情報に基づいてPDN接続に対応するネットワークスライスを決定できるとき、すなわち、ステップ304が実行された後に、スライス選択要求は、確立されたPDN接続に対応するネットワークスライスに関する情報(例えば、対応するS-NSSAI及び任意選択のネットワークスライスインスタンスの識別子)、UEの加入ネットワークスライスに関する情報(例えば、加入S-NSSAI)等を含む。
【００６９】
AMF1がPDN接続に関する情報に基づいてPDN接続に対応するネットワークスライスを決定できないとき、すなわち、ステップ304が本発明のこの実施形態において実行されないとき、AMF1は、確立されたPDN接続に関する情報をNSSFに送信する必要がある。具体的には、スライス選択要求は、確立されたPDN接続に関する情報、UEの加入ネットワークスライスに関する情報等を含む。NSSFにより、PDN接続に関する情報に基づいて、PDN接続に対応するネットワークスライスを決定するための方法は、AMF1により、PDN接続に対応するネットワークスライスを決定するための方法と同じである。詳細は、ここでは再び説明しない。
【００７０】
ステップ307:NSSFは、スライス選択応答をAMF1に返信し、スライス選択応答は、UEに対して許可されるネットワークスライスに関する情報(Allowed  NSSAI)及びターゲットAMFセットに関する情報を含む。AMF1は、NSSFにより送信されたスライス選択応答を受信する。
【００７１】
具体的には、NSSFは、確立されたPDN接続に対応するネットワークスライスに関する情報、UEの加入ネットワークスライスに関する情報等に基づいて、UEのためのアクセスを提供するターゲットAMFセット及びAllowed  NSSAIを決定する。NSSFは、ターゲットAMFセット及びUEに対して許可されるネットワークスライスに関する情報Allowed  NSSAIを初期AMFに送信する。
【００７２】
任意選択で、NSSFは、UEに対して許可されるネットワークスライス及び対応するターゲットAMFセットを決定ために、UEの確立されたPDN接続に対応するネットワークスライスとUEの加入ネットワークスライスとの共通部分を得てもよく、或いは、UEに対して許可されるネットワークスライス及び対応するターゲットAMFセットを決定するために、UEの加入ネットワークスライスとUEの確立されたUEのPDN接続に対応するネットワークスライスとの結合を得てもよい。本発明のこの実施形態は、NSSFにより、確立されたPDN接続に対応するネットワークスライス(S-NSSAI及びNSIの識別子を含む)及びUEの加入ネットワークスライスに関する情報に基づいて、UEに対して許可されるネットワークスライスを決定するための方法に限定を課さない。
【００７３】
AMF1は、NSSFにより返信されたスライス選択応答を受信する。AMF1が、ターゲットAMFセットに基づいて、AMF1が選択されたネットワークスライスのためのサービスを提供できるとAMF1が決定したとき、後続のハンドオーバ手順(すなわち、ステップ314)が直接実行される。AMF1が、ターゲットAMFセットに基づいて、AMF1が選択されたネットワークスライスのためのサービスを提供できないと決定したとき、以下のステップ308〜310が実行されてもよく、すなわち、MMEは、UEのためにターゲットAMFセットから1つのターゲットAMFを選択するか、或いは、ステップ311及び312が実行されてもよく、すなわち、AMF1は、UEのためにターゲットAMFセットから1つのターゲットAMFを選択し、ハンドオーバ要求をターゲットAMFに送信する。
【００７４】
ステップ302において決定された初期AMFが正確である場合、初期AMFは常にUEのためのサービスを提供できる点に留意すべきである。この場合、初期AMFは、UEのためのアクセスサービスを提供する最終的なAMFである。この場合、ステップ306及び307は、AMF1自身が、UEに対して許可されるネットワークスライスに関する情報を決定することにより置き換えることができる。具体的には、AMF1は、UEの確立されたPDN接続に対応するネットワークスライスに関する情報及びUEの加入ネットワークスライスに関する情報に基づいて、UEに対して許可されるネットワークスライスに関する情報を決定する。AMF1により、UEに対して許可されるネットワークスライスに関する情報を決定するための方法は、NSSFにより使用される方法と同じである。
【００７５】
ステップ308:AMF1は、ハンドオーバ拒否メッセージをMMEに送信し、MMEは、AMF1により送信されたハンドオーバ拒否メッセージを受信する。
【００７６】
ハンドオーバ拒否メッセージは、UEに対して許可されるネットワークスライスに関する情報及びターゲットAMFセットを含む。
【００７７】
ステップ309:MMEは、AMF1により送信されたハンドオーバ拒否メッセージを受信し、MMEは、ターゲットAMFセットから1つのAMFを、ターゲットAMFとして選択する。
【００７８】
本発明のこの実施形態は、MMEにより、ターゲットAMFセットから1つのAMFを、ターゲットAMFとして選択するための具体的な方法に限定を課さない。
【００７９】
ステップ310:MMEは、第3の要求メッセージを選択されたターゲットAMF (図３におけるAMF2)に送信し、第3の要求メッセージは、UEに対して許可されるネットワークスライスに関する情報を含む。AMF2は、MMEにより送信された第3の要求メッセージを受信する。
【００８０】
第3の要求メッセージはハンドオーバ要求でもよい。
【００８１】
ステップ311:AMF1は、ターゲットAMFセットから1つのAMFを、ターゲットAMFとして選択する。
【００８２】
ステップ312:AMF1は、第3の要求メッセージを選択されたターゲットAMF(図３におけるAMF2)に送信し、第3の要求メッセージは、UEに対して許可されるネットワークスライスに関する情報を含む。AMF2は、MMEにより送信された第3の要求メッセージを受信する。
【００８３】
第3の要求メッセージはハンドオーバ要求でもよい。
【００８４】
AMF1又はAMF 2は、確立されたPDN接続に関する情報及びUEに対して許可されるネットワークスライスに関する情報に基づいて、ハンドオーバできないPDN接続を決定してもよい点に留意すべきである。ハンドオーバできないPDN接続について、AMF1又はAMF2は、ハンドオーバ拒否メッセージをMMEに返信してもよく、ハンドオーバ拒否メッセージは、ハンドオーバできないPDN接続に関する情報を含む。具体的には、AMF1又はAMF2は、UEに対して許可されるネットワークスライス及び確立されたPDN接続に関する情報に対応するネットワークスライスに基づいて、確立されたPDN接続に対応するネットワークスライスがUEに対して許可されるネットワークスライスに含まれるか否かを決定してもよい。確立されたPDN接続に対応するネットワークスライスがUEに対して許可されるネットワークスライスに含まれない場合、AMF1又はAMF2は、PDN接続がハンドオーバできないと決定する。ハンドオーバできないPDN接続を決定した後に、AMF1又はAMF2は、ハンドオーバ拒否メッセージをMMEに返信し、ハンドオーバ拒否メッセージは、ハンドオーバできないPDN接続に関する情報を搬送し、それにより、MMEは、その後に対応するPDN接続解放手順を開始する。
【００８５】
本発明のこの実施形態では、4Gネットワークから5GネットワークへのUEのハンドオーバの間に、MMEは、初期AMFを決定する。次いで、初期AMFは、4GネットワークにおけるUEの確立されたPDN接続に関する情報に基づいて、UEの確立されたPDN接続に関する情報に対応するネットワークスライスを取得し、UEの加入ネットワークスライスに関する情報等を参照して、5GネットワークにハンドオーバできるPDN接続に対応するネットワークスライスを更に取得する。したがって、ユーザ装置が4GネットワークにおいてDCNサービスを享受する4Gカバレッジエリアから5G基地局のカバレッジエリアに移動するとき、ユーザ装置は、適切なネットワークスライスにハンドオーバでき、元の4Gネットワークにおけるネットワークサービスと同等のネットワークサービスを依然として享受できる。好ましくは、ユーザ装置は、4GネットワークにおけるPDN接続に対応するネットワークスライスインスタンスにハンドオーバでき、それにより、ユーザ装置が元の4Gネットワークにおけるネットワークサービスと同等のネットワークサービスを享受できる一方で、サービス継続性が確保できる。
【００８６】
上記の実施形態のステップ307において、初期AMFがターゲットAMFセットに含まれてもよいことが言及される。ネットワークアーキテクチャが比較的単純であるとき、又はMMEにおいて構成されたMMEからAMFセットへのマッピング関係が十分に正確であるとき、選択された初期AMFがターゲットAMFセットに含まれることが或る程度確保できる。この場合、AMFは、まず、5GネットワークにハンドオーバできるPDN接続を決定し、次いで、PDN接続を、5Gコアネットワークにおける対応するネットワークスライスにハンドオーバする。その後、5Gコアネットワークは、ユーザ装置の加入ネットワークスライスのような情報に基づいて、ユーザ装置に対して許可されるネットワークスライスを決定する。ユーザ装置に対して許可されるネットワークスライスに含まれないネットワークスライスに対応するPDN接続について、5Gコアネットワークは、対応するPDUセッションを解放する。このように、4Gネットワークから5Gネットワークへのユーザ装置のハンドオーバの間に生じる遅延が低減される。図４に示すように、本発明の実施形態は、他のモビリティハンドオーバ方法を提供する。
【００８７】
ステップ401:ソース基地局(E-UTRAN)は、第1のハンドオーバ要求をMMEに送信し、第1のハンドオーバ要求は、ターゲットアクセス領域に関する情報を含む。MMEは、ソース基地局により送信された第1のハンドオーバ要求を受信する。
【００８８】
ステップ402:MMEは、AMFを決定する。
【００８９】
ステップ403:MMEは、第2のハンドオーバ要求を、決定されたAMFに送信し、第2のハンドオーバ要求は、確立されたPDN接続に関する情報を搬送する。AMFは、MMEにより送信された第2のハンドオーバ要求を受信する。
【００９０】
確立されたPDN接続に関する情報は、PDN接続に対応するPGW-C/SMFの識別子を含む。
【００９１】
ステップ401〜403は、ステップ301〜303と同じである。関連する内容については、上記の説明を参照する。詳細は、ここでは再び説明しない。
【００９２】
ステップ404:AMFは、確立されたPDN接続に関する情報に基づいて、ハンドオーバできるPDN接続を決定する。
【００９３】
具体的には、PDN接続について、AMFは、確立されたPDN接続に関する情報に基づいて、AMFが対応するPGW-C/SMFと通信できるか否かを決定する。AMFが対応するPGW-C/SMFと通信できる場合、AMFは、PDN接続が5Gネットワークにハンドオーバできると決定し、そうでない場合、PDN接続が5Gネットワークにハンドオーバできない。
【００９４】
任意選択で、AMFは、ハンドオーバ拒否メッセージをMMEに送信し、ハンドオーバ拒否メッセージは、ハンドオーバできないPDN接続に関する情報を含み、ハンドオーバできないPDN接続に関する情報は、5GネットワークにハンドオーバできないPDN接続をMMEに通知するために使用される。メッセージを受信した後に、MMEはPDN接続の解放を開始する。メッセージは、ハンドオーバ要求に対する応答メッセージで搬送され、MMEに送信されてもよい。
【００９５】
ステップ405:5Gネットワークにハンドオーバできる4GネットワークにおけるPDN接続が、5Gネットワークにおける対応するネットワークスライスにハンドオーバされる後続のハンドオーバ手順を実行する。
【００９６】
ステップ406:ハンドオーバ手順が終了した後に、UEは、AMFへの登録要求を開始する。
【００９７】
任意選択で、登録要求は、UEの要求NSSAI(Requested  NSSAI)を含んでもよい。
【００９８】
ステップ407:AMFは、ユーザデータ管理エンティティからUEの加入データを取得する。
【００９９】
ステップ408:AMFは、UEに対して許可されるネットワークスライスに関する情報を取得する。
【０１００】
AMFは、UEについて、許可されるネットワークスライスに関する情報を決定するように、NSSFに要求してもよく、或いは、AMF自身が、UEについて、許可されるネットワークスライスに関する情報を決定してもよい。関連する内容については、上記の実施形態のステップ306及び307における説明を参照する。詳細は、ここでは再び説明しない。
【０１０１】
ステップ409:AMFは、解放される必要があるPDUセッションを決定し、セッション解放要求をセッション管理機能エンティティに送信する。セッション管理機能エンティティは、AMFにより送信されたセッション解放要求を受信する。
【０１０２】
ステップ405においてハンドオーバされるPDN接続について、PDN接続に対応するネットワークスライスがUEに対して許可されるネットワークスライスに属さない場合、AMFは、対応するPDUセッションを解放するように、セッション管理機能エンティティに要求するために、PDUセッション解放要求を開始する必要がある。
【０１０３】
ステップ410:AMFは、登録応答をUEに返信し、登録応答は、UEに対して許可されるネットワークスライスに関する情報を搬送する。
【０１０４】
ステップ410及びステップ409は交換できる点に留意すべきである。
【０１０５】
本発明のこの実施形態では、4Gネットワークから5GネットワークへのUEのハンドオーバの間に、MMEは、まず、AMFを決定する。次いで、AMFは、4GネットワークにおけるUEの確立されたPDN接続に関する情報に基づいて、5GネットワークにハンドオーバできるPDN接続を決定する。5GネットワークにハンドオーバできるPDN接続について、まず、5Gコアネットワークへのハンドオーバが実現され、それにより、好ましくは、ユーザのためのサービス継続性を確保し、ハンドオーバ遅延を低減する。ハンドオーバが実現された後に、次いで、ハンドオーバされるPDN接続に対応するネットワークスライスが、UEに対して許可されるネットワークスライスであるか否かが決定される。UEに対して許可されるネットワークスライスに含まれないネットワークスライスに対応するPDN接続について、5Gコアネットワークは、関連するPDUセッションを解放するために、PDUセッション解放要求を開始し、それにより、オペレータの権利及び利益を確保する。
【０１０６】
UEが接続状態にあるとき、いくつかの特定のシナリオでは、ネットワークにおいてMMEとNSSFとの間のインタフェース通信が存在する。図５に示すように、本発明の実施形態は、他のモビリティハンドオーバ方法を提供する。
【０１０７】
ステップ501:ソース基地局は、ハンドオーバ要求をMMEに送信し、ハンドオーバ要求は、ターゲットアクセス領域に関する情報を含む。
【０１０８】
ステップ502:MMEは、UEのコンテキストからユーザ装置の確立されたPDN接続に関する情報を取得し、確立されたPDN接続に関する情報に基づいて対応するネットワークスライスを決定する。
【０１０９】
ステップ503:MMEは、ユーザデータ管理エンティティ(HSS/UDM)からUEの加入データを取得する。
【０１１０】
ステップ504:MMEは、スライス選択要求をネットワークスライス選択機能(NSSF)に送信する。NSSFは、MMEにより送信されたスライス選択要求を受信する。
【０１１１】
ステップ505:NSSFは、スライス選択応答をMMEに返信し、スライス選択応答は、UEに対して許可されるネットワークスライスに関する情報(Allowed  NSSAI)及びターゲットAMFセットに関する情報を含む。
【０１１２】
ステップ506:MMEは、ターゲットAMFセットから1つのAMFを、ターゲットAMFとして選択する。
【０１１３】
ステップ507:MMEは、第2のハンドオーバ要求をAMFに送信し、第2のハンドオーバ要求は、UEに対して許可されるネットワークスライスに関する情報を含む。
【０１１４】
上記のステップにおいて、ステップ501は上記の実施形態におけるステップ301と同じであり、ステップ502は上記の実施形態におけるステップ304と同じであり、ステップ503はステップ305と同じであり、ステップ504はステップ306と同じであり、ステップ505はステップ307と同じであり、ステップ506はステップ311と同じである。関連する内容については、関連する説明を参照する。詳細は、ここでは再び説明しない。
【０１１５】
図６は、モビリティ管理方法の概略フローチャートである。この実施形態では、UEは、まず、4G基地局を使用することにより4GネットワークにおけるMMEに登録し、MMEは、DCN識別子及び4G  GUTIをUEに送信する。次いで、UEは、或る理由でアイドル状態になり、5G基地局のカバレッジエリアに移動する。UEは、5G基地局を使用することにより5Gコアネットワークに登録する。この実施形態では、UEは、5G基地局のカバレッジエリアに移動し、ハンドオーバ手順を開始するために、5G基地局への登録要求を開始する。
【０１１６】
ステップ601:UEは、MMEを使用することにより4Gネットワークに登録する。
【０１１７】
UEが4Gネットワークにアクセスしたとき、ネットワークは、UEのためのDCNを選択し、MMEは、4G  GUTIをUEに割り当てる。4G  GUTIは、MMEに関する情報、例えば、MMEグループ識別子(MMEGI)及びMMEコード番号(MME  CODE)を含む。
【０１１８】
ステップ602:UEは、5G基地局への登録要求を開始し、登録要求は、UEにより4G  GUTIからマッピングされた5G  GUTIを含む。任意選択で、登録要求は、UEにより要求されたネットワークスライスに関する情報(Requested  NSSAI)を更に含む。任意選択で、登録要求は、4GネットワークにおいてUEによりアクセスされるDCNの識別子を更に含む。5G基地局は、UEにより送信された登録要求を受信する。
【０１１９】
UEが4G  GUTIを5G  GUTIにマッピングすることは、具体的には、MMEグループ識別子をAMF領域識別子にマッピングし、MMEコード番号をAMFセット識別子にマッピングすること、又は、MMEグループ識別子の一部をAMF領域識別子にマッピングし、MMEグループ識別子の他の部分をAMFセット識別子にマッピングすること、例えば、MMEグループ識別子の上位8ビットをAMF領域識別子にマッピングし、MMEグループ識別子の下位8ビットをAMFセット識別子にマッピングすることである。
【０１２０】
ステップ603:5G基地局は、初期AMF(図６におけるAMF1)を決定し、登録要求をAMF1に転送する。
【０１２１】
5G基地局は、複数の方式で初期AMFを決定する。
【０１２２】
可能な実現方式では、基地局は、登録要求で搬送される、UEにより要求されたネットワークスライスに関する情報に基づいて、初期AMFを決定する。
【０１２３】
他の可能な実現方式では、デフォルトAMFが基地局において構成される。登録要求を受信したとき、基地局は、デフォルトAMFを初期AMFとして使用する。
【０１２４】
もう1つの他の可能な実現方式では、図３の実施形態におけるステップ302を参照する。基地局は、基地局が位置する領域を決定し、基地局が位置する領域及びDCN  ID又はMMEの識別子を参照して、表１に従って初期AMFセットを決定し、初期AMFセットから1つのAMFを、初期AMFとして選択する。
【０１２５】
更に他の可能な実施形態では、図３の実施形態におけるステップ302を参照する。基地局は、基地局が位置する領域が、5G  GUTIにより示されるAMF領域と同じであるか否かを決定する。基地局が位置する領域が5G  GUTIにより示されるAMF領域と同じである場合、基地局は、5G  GUTIにより示されるAMFセットから1つのAMFを、初期AMFとして選択し、基地局が位置する領域が5G  GUTIにより示されるAMF領域と異なる場合、基地局は、表２に従ってターゲットAMFセットを決定し、AMFセットから1つのAMFを、初期AMFとして選択する。例えば、基地局は、UEの5G  GUTIに基づいて、AMF領域がXであり、AMFセットがAであり、基地局に対応する領域YがX内にないと決定する。基地局は、表２に従って、適切なAMFセットがBであると決定し、予め設定されたポリシーに従って、Bから1つのAMFを、初期AMFとして選択する。
【０１２６】
ステップ604:AMF1は、5G基地局により送信された登録要求を受信し、MMEからUEのコンテキストを取得する。
【０１２７】
具体的には、AMF1は、5G  GUTIに基づいてMMEを決定し、コンテキスト要求メッセージを決定されたMMEに送信してもよい。MMEは、UEのコンテキストをAMF1に送信する。UEのコンテキストは、4GネットワークにおけるUEの確立されたPDN接続に関する情報を含み、確立されたPDN接続に関する情報は、具体的には、PDN接続に対応するPGW-C/SMF又はAPNに関する情報である。
【０１２８】
ステップ605:AMF1は、ユーザデータ管理エンティティ(HSS/UDM)からUEの加入データを取得する。
【０１２９】
ステップ605は、上記の実施形態におけるステップ305と同じである。関連する内容については、上記の説明を参照する。詳細は、ここでは再び説明しない。
【０１３０】
図３の実施形態と同様に、AMF1は、PDN接続に関する情報に基づいて、PDN接続に対応するネットワークスライスを決定できる。代替として、NSSFは、PDN接続に関する情報に基づいて、PDN接続に対応するネットワークスライスを決定してもよい。本発明のこの実施形態における以下のステップでは、NSSFが、PDN接続に関する情報に基づいて、PDN接続に対応するネットワークスライスを決定する例について説明する。
【０１３１】
ステップ606:AMF1は、スライス選択要求をネットワークスライス選択機能(NSSF)に送信する。
【０１３２】
スライス選択要求は、確立されたPDN接続に関する情報、UEの加入ネットワークスライスに関する情報等を含む。
【０１３３】
ステップ607:NSSFは、AMF1により送信されたスライス選択要求を受信し、スライス選択応答をAMF1に返信し、スライス選択応答は、UEに対して許可されるネットワークスライスに関する情報(Allowed  NSSAI)及びターゲットAMFセットに関する情報を含む。
【０１３４】
ステップ607は、上記の実施形態におけるステップ307と同じである。関連する内容については、上記の説明を参照する。詳細は、ここでは再び説明しない。
【０１３５】
AMF1は、NSSFにより返信されたスライス選択応答を受信する。AMF1が、ターゲットAMFセットに基づいて、AMF1が選択されたネットワークスライスのためのサービスを提供できるとAMF1が決定したとき、後続の登録手順(すなわち、ステップ610)が直接実行される。AMF1が、ターゲットAMFセットに基づいて、AMF1が選択されたネットワークスライスのためのサービスを提供できないと決定したとき、以下のステップ608及び609が実行されてもよく、すなわち、AMF1は、UEのためにターゲットAMFセットから1つのターゲットAMFを選択し、登録要求をターゲットAMFに送信する。
【０１３６】
ステップ608:AMF1は、ターゲットAMFセットから1つのAMFを、ターゲットAMF(AMF2)として選択する。
【０１３７】
ステップ609:AMF1は、登録要求をAMF2に転送し、登録要求は、UEの5G  GUTI及びUEに対して許可されるネットワークスライスに関する情報(Allowed  NSSAI)を含む。
【０１３８】
ハンドオーバできないPDN接続について、AMF1又はAMF 2は、ハンドオーバ拒否メッセージをMMEに返信してもよい点に留意すべきである。具体的には、AMF1又はAMF2は、UEに対して許可されるネットワークスライス及び確立されたPDN接続に対応するネットワークスライスに基づいて、確立されたPDN接続に対応するネットワークスライスがUEに対して許可されるネットワークスライスに含まれるか否かを決定してもよい。確立されたPDN接続に対応するネットワークスライスがUEに対して許可されるネットワークスライスに含まれない場合、AMF1又はAMF2は、PDN接続がハンドオーバできないと決定する。ハンドオーバできないPDN接続を決定した後に、AMF1又はAMF2は、ハンドオーバ拒否メッセージをMMEに返信し、ハンドオーバ拒否メッセージは、ハンドオーバできないPDN接続に関する情報を搬送し、それにより、MMEは、その後に対応するPDN接続解放手順を開始する。
【０１３９】
本発明のこの実施形態では、UEが4G基地局を使用することにより4GネットワークにおけるMMEに登録し、次いで、アイドル状態になった場合、5G基地局のカバレッジエリアに移動するとき、UEは、登録手順を通じて5Gコアネットワークにハンドオーバできる。この場合、UEは4Gネットワークにおけるネットワークサービスと同等のネットワークサービスを享受できることが確保される。
【０１４０】
図７は、モビリティハンドオーバ方法の概略フローチャートである。この実施形態では、UEは、AMFを使用することにより5Gネットワークに現在登録されており、UEは接続状態にある。ソース基地局が、UEがハンドオーバされる必要があることを検出したとき、ソース基地局は、ターゲット基地局を選択する。この実施形態では、ソース基地局により選択されるターゲット基地局は、4Gネットワークに接続された基地局(E-UTRAN)である。ソース基地局は、ハンドオーバ手順を開始するために、ハンドオーバ要求をAMFに送信する。
【０１４１】
ステップ701:UEは、5Gネットワークに登録する。UEが5GCに登録するプロセスにおいて、AMFは、UEの使用タイプ(Usage  Type)のようなHSS/UDMからの4G加入データを取得し、4G加入データをUEのコンテキストに記憶する。
【０１４２】
ステップ702:ソース基地局(NG-RAN)は、UEがターゲット基地局(E-UTRAN)にハンドオーバされる必要があると決定し、ソース基地局は、第1のハンドオーバ要求をAMFに送信し、第1のハンドオーバ要求は、ターゲットアクセス領域に関する情報を含む。AMFは、ソース基地局により送信された第1のハンドオーバ要求を受信する。
【０１４３】
ステップ702は、上記の実施形態におけるステップ301と同じである。関連する内容については、上記の実施形態を参照する。詳細は、ここでは再び説明しない。
【０１４４】
ステップ703:AMFは、MMEを決定する。
【０１４５】
具体的には、AMFは、第1のハンドオーバ要求で搬送されたターゲットアクセス領域に関する情報に基づいて、UEが4Gネットワークにハンドオーバされる必要があると決定する。AMFは、ユーザ装置の識別子に基づいて、UEの対応するコンテキストを取得し、コンテキスト内のUE使用タイプに基づいて、ハンドオーバ動作を実現するべきMMEを決定する。代替として、AMFは、ユーザ装置の識別子に基づいて、UEの対応するコンテキストを取得し、UEのコンテキスト内の5G  GUTI及びターゲットアクセス領域に関する情報に基づいて、ハンドオーバ動作を実現するべきMMEを決定してもよい。代替として、AMFは、UEの5G  GUTIに基づいて、対応するDCN識別子を決定し、次いで、DCN識別子及びターゲットアクセス領域に関する情報に基づいて、ハンドオーバ動作を実現するべきMMEを決定してもよい。
【０１４６】
AMFにより、UE使用タイプに基づいて、ハンドオーバ動作を実現するべきMMEを決定するための方法は、ソースMMEがUE使用タイプに基づいてターゲットMMEを決定する4Gネットワーク内ハンドオーバ中のプロセスと同じである。本発明のこの実施形態では、詳細は、ここでは説明しない。
【０１４７】
AMFにより、UEの5G  GUTI及びターゲットアクセス領域に関する情報に基づいて、ハンドオーバ動作を実現するべきMMEを決定するための方法は、具体的には以下の通りである。
【０１４８】
AMFは、UEの5G  GUTIに基づいて、UEにサービス提供するAMFに関する情報(AMF領域及びAMFセット)を取得し、次いで、対応するMMEグループを決定するために、ターゲットアクセス領域に対応する領域(ターゲット領域)に基づいて、以下の表を照会し、MMEグループから1つのMMEを、ハンドオーバ動作を実現するべきMMEとして選択する。
【表３】
2020537452.tif 000005
【０１４９】
AMFが、UEの5G  GUTIに基づいて対応するDCN識別子を決定し、次いで、DCN識別子及びターゲットアクセス領域に関する情報に基づいて、ハンドオーバ動作を実現するべきMMEを決定することは、具体的には以下の通りである。
【０１５０】
AMFは、UEの5G  GUTIに基づいて、UEにサービス提供するAMFに関する情報(AMF領域に関する情報及びAMFセットに関する情報)を取得し、対応するDCN識別子を決定するために、以下の表を更に照会し、DCN識別子及びターゲットアクセス領域に関する情報に基づいて、ハンドオーバ動作を実現するべきMMEを決定する。
【表４】
2020537452.tif 000006
【０１５１】
DCN識別子及びターゲットアクセス領域に関する情報に基づいてMMEを選択するための方法については、既存の標準を参照する。
【０１５２】
ターゲットMMEを決定するための上記の方法によれば、AMFは、AMF自身によりターゲットMMEを決定してもよく、或いは、ネットワークにおける他のデバイス、例えば、DNSを照会することによりターゲットMMEを決定してもよい。AMFがDNSを照会することによりターゲットMMEを決定するとき、上記の表３及び表４がDNSにおいて構成される。AMFは、関連情報をDNSに送信し、DNSは、選択されたMMEをAMFに返信する。
【０１５３】
ステップ704:AMFは、第2のハンドオーバ要求をターゲットMMEに送信する。
【０１５４】
第2のハンドオーバ要求は、UE使用タイプ及び5GネットワークにおけるUEの確立されたPDUセッションに関する情報からマッピングされたPDN接続に関する情報を含む。
【０１５５】
具体的には、AMFが第2のハンドオーバ要求をターゲットMMEに送信する前に、当該方法は、AMFにより、5GネットワークにおけるUEの確立されたPDUセッションに関する情報をPDN接続に関する情報にマッピングすることを更に含む。PDUセッションに関する情報は、データネットワーク名(Data  Network  Name,  DNN)及び対応するS-NSSAIを含み、PDN接続に関する情報はAPNである。
【０１５６】
AMFが5GネットワークにおけるUEの確立されたPDUセッションに関する情報をPDN接続に関する情報にマッピングすることは、具体的には、AMFにより、予め設定された第1のマッピング関係に従って、PDUセッションに関する情報内のDNNを、対応するAPNにマッピングすること、又は、AMFにより、予め設定された第2のマッピング関係に従って、PDUセッションに関する情報内のDNN及びS-NSSAIを、対応するAPNにマッピングすることである。
【０１５７】
MMEは、UE使用タイプがサポートされているか否かを決定し、加入APN及びMMEの構成に基づいて、PDUセッションが4G  DCNにハンドオーバされることが許可されるか否かを決定する。ハンドオーバできるPDUセッションについて、MMEは、リソースを割り当てて後続のハンドオーバ手順を実行するように、ターゲット基地局に要求する。ハンドオーバできないPDN接続について、MMEは、PDN接続へのハンドオーバを拒否するように、AMFに命令し、AMFは、拒否されたPDN接続に対応するPDUセッションを解放するように、拒否されたPDN接続に対応するSMFに命令する。
【０１５８】
本発明のこの実施形態では、AMFは、UEの4G加入データをUEのコンテキストに事前に記憶する。5Gから4GへのUEのネットワーク間ハンドオーバが生じたと決定したとき、高速ネットワーク間ハンドオーバを実現するために、AMFは、5Gネットワークにおける確立されたPDUセッションに関する情報をPDN接続に関する情報にマッピングし、4G加入データに基づいて適切なMMEを決定する。さらに、5Gから4Gに移動するとき、UEが同等のネットワークサービスを享受できることが確保される。
【０１５９】
図８は、モビリティハンドオーバ方法の概略フローチャートである。この実施形態では、UEは、AMFを使用することにより5Gネットワークに登録しており、AMFは、Allowed  NSSAIをUEに割り当てている。次いで、UEは、或る理由でアイドル状態になり、4G基地局のカバレッジエリアに移動する。UEは、位置更新要求を送信することにより、4Gネットワークに登録する。UEのコンテキストを初期MMEに送信するとき、AMFは、UEの4G加入データ(UE使用タイプを含む)を初期MMEに送信し、初期MMEは、UE使用タイプに基づいてターゲットMMEを選択する。具体的には、当該方法は、以下のステップを含む。
【０１６０】
ステップ801:UEは、5Gネットワークに登録する。
【０１６１】
UEが5GCに登録するプロセスにおいて、AMFは、UEの使用タイプ(Usage  Type)のようなHSS/UDMからの4G加入データを取得し、4G加入データをUEのコンテキストに記憶する。
【０１６２】
ステップ802:UEは、位置更新要求を4G基地局に送信し、位置更新要求は、UEにより5G  GUTIからマッピングされた4G  GUTIを含む。4G基地局は、UEにより送信された位置更新要求を受信する。
【０１６３】
具体的には、UEは、基地局によりブロードキャストされたトラッキングエリアアイデンティティリスト(tracking  area  identity  list,  TAI  list)に基づいて、UEが元の登録領域から出て、UEにより選択された新たなターゲットセルが4G基地局によりカバーされるセルであると決定する。したがって、UEは、位置更新要求を4G基地局に送信する。UEは、UEと4G基地局との間のRRCメッセージを使用することにより、位置更新要求を4G基地局に送信する。DCN識別子がUEにおいて構成される場合、UEは、DCN識別子をRRCメッセージに更に追加する。4G基地局は、DCN識別子及びUEの位置情報に基づいて、UEのための初期MME(MME1)を選択する。UEが5G  GUTIを4G  GUTIにマッピングすることは、5G  GUTIに含まれるAMF領域識別子及びAMFセット識別子をMMEグループ識別子にマッピングすること、又は、5G  GUTIに含まれるAMF領域識別子及びAMFセット識別子をMMEグループ識別子及びMMEコード番号にマッピングすることを具体的に含む。具体的には、AMF領域識別子は、MMEグループ識別子にマッピングされ、AMFセット識別子は、MMEコード番号にマッピングされるか、或いは、AMF領域識別子は、MMEグループ識別子の一部にマッピングされ、AMFセット識別子は、MMEグループ識別子の他の部分にマッピングされる。
【０１６４】
ステップ803:4G基地局は、位置更新要求をMME1に転送する。
【０１６５】
ステップ804:MME1は、4G基地局により送信された位置更新要求を受信し、4G  GUTIに基づいてAMFを決定し、UEコンテキスト要求メッセージをAMFに送信する。
【０１６６】
ステップ805: AMFは、UEのコンテキストをMME1に送信し、UEのコンテキストは、UE使用タイプ及び5GネットワークにおけるUEの確立されたPDUセッションに関する情報からマッピングされたPDN接続に関する情報を含む。
【０１６７】
AMFが5GネットワークにおけるUEの確立されたPDUセッションに関する情報をPDN接続に関する情報にマッピングすることは、具体的には、AMFにより、構成されたマッピング関係に従って、確立されたPDUセッションに関する情報をPDN接続に関する情報にマッピングすることであり、PDUセッションに関する情報は、DNN及び対応するS-NSSAIを含み、PDN接続に関する情報は、APNを含む。AMFが5GネットワークにおけるUEの確立されたPDUセッションに関する情報をPDN接続に関する情報にマッピングすることは、具体的には、AMFにより、予め設定された第1のマッピング関係に従って、PDUセッションに関する情報内のDNNを、対応するAPNにマッピングすること、又は、AMFにより、予め設定された第2のマッピング関係に従って、PDUセッションに関する情報内のDNN及びS-NSSAIを、対応するAPNにマッピングすることである。
【０１６８】
ステップ806:MME1は、UE使用タイプに基づいて、ユーザ装置のためのDCN及びターゲットMME(MME2)を選択する。
【０１６９】
可能な場合、MME1は、UE使用タイプに基づいて、ターゲットMMEがMME1であると決定する。この場合、後続の位置更新手順(ステップ810)が実行される。そうでない場合、ステップ807〜809が実行される。
【０１７０】
ステップ807: MME1は、位置更新要求をMME 2に送信するように4G基地局に要求するために、リダイレクト要求を4G基地局に送信する。
【０１７１】
ステップ808:4G基地局は、位置更新要求をMME2に送信する。
【０１７２】
ステップ809:MME2は、位置更新要求内の4G  GUTIに基づいてAMFを決定し、AMFからUEのコンテキストを取得する。
【０１７３】
UEのコンテキストは、UE使用タイプ及び5GネットワークにおけるUEの確立されたPDUセッションに関する情報からマッピングされたPDN接続に関する情報を含む。
【０１７４】
UE及びMME2は、後続の位置更新手順を実行する。
【０１７５】
本発明のこの実施形態では、AMFは、UEの4G加入データをUEのコンテキストに事前に記憶する。5Gから4GへのUEのネットワーク間ハンドオーバが生じたと決定したとき、高速ネットワーク間ハンドオーバを実現するために、AMFは、5Gネットワークにおける確立されたPDUセッションに関する情報をPDN接続に関する情報にマッピングし、4G加入データに基づいて適切なMMEを決定する。さらに、5Gから4Gに移動するとき、UEが同等のネットワークサービスを享受できることが確保される。
【０１７６】
接続状態のUEの位置が変化し、UEがAMF(ソースAMF)領域から他のAMF(ターゲットAMF)領域に移動するとき、ソースAMFは、確立されたPDUセッションに関する情報(S-NSSAI等、任意選択でネットワークスライスインスタンスの識別子を含む)、UEの位置及びUEの加入ネットワークスライスに関する情報に基づいて、UEに対して許可されるネットワークスライスに関する情報を取得する。図９に示すように、以下のステップを含むモビリティ管理方法が提供される。
【０１７７】
ステップ901:ソース基地局は、第1のハンドオーバ要求をソースAMFに送信し、第1のハンドオーバ要求は、ターゲットアクセス領域に関する情報を含む。
【０１７８】
具体的には、第1のハンドオーバ要求は、ユーザ装置により報告されたセル測定情報に基づいて判断が行われた後に、ソース基地局によりMMEに送信されてもよい。ターゲットアクセス領域に関する情報は、ターゲットセルの識別子、ターゲット基地局の識別子及びターゲットトラッキングエリアの識別子のうち少なくとも1つを含んでもよい。ターゲットセルの識別子は、ターゲットセルを一意に識別するために使用され、ターゲットセルは、UEによりアクセスされるべきセルである。ターゲット基地局の識別子は、ターゲット基地局を一意に識別するために使用され、ターゲット基地局は、アクセス対象のセルが属する基地局である。ターゲットトラッキングエリアの識別子は、ターゲットトラッキングエリアを一意に識別するために使用され、ターゲットトラッキングエリアは、アクセス対象のセルが位置するトラッキングエリアである。
【０１７９】
ステップ902:ソースAMFは、ソース基地局により送信された第1のハンドオーバ要求を受信し、ターゲットAMF及びUEに対して許可されるネットワークスライスに関する情報を決定する。
【０１８０】
具体的には、ソースAMFは、以下のいくつかの方法でターゲットAMFを決定する。
【０１８１】
可能な実現方式では、上記の実施形態における表２に示すように、ソースAMFに関する情報(ソースAMFが位置する領域に関する情報及びソースAMFが属するセットに関する情報)と、ターゲット領域と、ターゲットAMFセットとの間のマッピング関係は、ソースAMFにおいてローカルで、或いは、ネットワークにおける他のデバイス(例えば、ネットワークリポジトリ機能NRFエンティティ)において構成される。具体的には、ソースAMFは、ターゲットAMFセットを決定するために、ソースAMFが位置するAMF領域に関する情報、ソースAMFが属するAMFセットに関する情報及びターゲットアクセス領域に関する情報に基づいて、マッピング関係を照会する。次いで、ソースAMFは、予め設定されたポリシーに従って、ターゲットAMFセットから1つのAMFを、ターゲットAMFとして選択する。
【０１８２】
他の可能な実現方式では、ソースAMFは、スライス選択要求をNSSFに送信し、スライス選択要求は、UEにより要求されたネットワークスライスに関する情報(Request  NSSAI)、確立されたPDUセッションに関する情報及びUEの加入ネットワークスライスに関する情報を含む。NSSFは、UEにより要求されたネットワークスライスに関する情報(Request  NSSAI)、確立されたPDUセッションに関する情報及びUEの加入ネットワークスライスに関する情報に基づいて、UEに対して許可されるネットワークスライスに関する情報及びターゲットAMFセットに関する情報を決定する。ターゲットAMFセットに関する情報は、ターゲットAMFセットの識別子又は候補AMFの識別子を含むリストでもよい。任意選択で、スライス選択要求内の確立されたPDUセッションに関する情報は、確立されたPDUセッションに関する情報に基づいてソースAMFにより決定された、確立されたPDUセッションに対応するネットワークスライスに関する情報(対応するS-NSSAI、任意選択で、ネットワークスライスインスタンスの識別子を更に含む)と置き換えられてもよい。UEにより要求されたネットワークスライスに関する情報(Request  NSSAI)及び確立されたPDUセッションに関する情報は、ソースAMFにより、UEの識別子に基づいてUEのコンテキストから取得されてもよい。確立されたPDUセッションに関する情報は、PDUセッションに対応するSMFの識別子でもよい。
【０１８３】
ステップ903:ソースAMFは、第2のハンドオーバ要求をターゲットAMFに送信し、第2のハンドオーバ要求は、UEに対して許可されるネットワークスライスに関する情報を含む。ターゲットAMFは、ソースAMFにより送信された第2のハンドオーバ要求を受信する。
【０１８４】
任意選択で、当該方法は、ソースAMFにより、確立されたPDUセッションに関する情報及びUEに対して許可されるネットワークスライスに関する情報に基づいて、ハンドオーバできないPDUセッションを決定し、ソースAMFにより、PDUセッション解放要求メッセージを、ハンドオーバできないPDUセッションに対応するSMFに送信することを更に含む。
【０１８５】
本発明のこの実施形態において提供される方法によれば、接続状態のUEがAMF領域から他のAMF領域に移動するとき、UEのために、許可されるネットワークスライスにアクセスするサービスを提供するように適切なAMFが選択され得る。
【０１８６】
UEが5GネットワークにおけるAMF(ソースAMF)に登録したとき、ソースAMFは、5G  GUTIをUEに割り当てる。次いで、UEは、或る理由でアイドル状態になり、AMF (ソースAMF)領域から他のAMF(ターゲットAMF)領域に移動する。この場合、UEは、登録手順を通じて5Gネットワークに再アクセスする。図１０に示すように、モビリティ管理方法が提供され、以下のステップを含む。
【０１８７】
ステップ1001:UEは、ソースAMFを使用することにより5Gネットワークに登録する。
【０１８８】
UEがソースAMFを使用することにより5Gネットワークに登録したとき、ソースAMFは、5G  GUTIをUEに割り当てる。5G  GUTIは、ソースAMFに関する情報、例えば、ソースAMFが位置する領域に関する情報及びソースAMFが属するセットに関する情報を含む。
【０１８９】
ステップ1002:UEは、ターゲット基地局への登録要求を開始する。
【０１９０】
登録要求は、ソースAMFによりUEに割り当てられた5G  GUTIを含む。任意選択で、登録要求は、UEにより要求されたネットワークスライスに関する情報(Requested  NSSAI)を更に含む。
【０１９１】
ステップ1003:ターゲット基地局は、初期AMF(図１０におけるAMF1)を決定し、登録要求をAMF1に転送する。
【０１９２】
ターゲット基地局は、複数の方式で初期AMFを決定する。
【０１９３】
可能な実現方式では、基地局は、登録要求で搬送される、UEにより要求されたネットワークスライスに関する情報に基づいて、初期AMFを決定する。
【０１９４】
他の可能な実現方式では、デフォルトAMFが基地局において構成される。登録要求を受信したとき、基地局は、デフォルトAMFを初期AMFとして使用する。
【０１９５】
他の可能な実現方式では、ターゲット基地局は、ターゲットAMFセットに関する情報を取得するために、UEのGUTIで搬送される、ソースAMFが位置する領域に関する情報及びソースAMFが属するAMFセットに関する情報並びにターゲット基地局の現在の領域情報(ターゲット基地局の位置)に基づいて、DNSを照会し、表２に示すマッピング関係は、DNSにおいて構成される。ターゲットAMFセットに関する情報は、ターゲットAMFセットの識別子又は候補ターゲットAMFの識別子のリストでもよい。次いで、ターゲット基地局は、予め設定されたポリシーに従って、ターゲットAMFセットから1つのAMFを、初期AMFとして選択する。
【０１９６】
ステップ1004:AMF1は、ターゲット基地局により送信された登録要求を受信し、ソースAMFからUEのコンテキストを取得する。
【０１９７】
具体的には、AMF1は、登録要求内のGUTIに基づいてソースAMFを決定し、UEコンテキスト取得要求をソースAMFに送信する。UEのコンテキストは、UEの確立されたPDUセッションに関する情報を含み、確立されたPDUセッションに関する情報は、PDUセッションに対応するSMFの識別子を含む。
【０１９８】
ステップ1005:AMF1は、スライス選択要求をネットワークスライス選択機能(NSSF)に送信する。
【０１９９】
ステップ1006:NSSFは、スライス選択応答をAMF1に返信し、スライス選択応答は、UEに対して許可されるネットワークスライスに関する情報(Allowed  NSSAI)及びターゲットAMFセットに関する情報を含む。
【０２００】
ステップ1007:AMF1は、ターゲットAMFセットから1つのAMFを、ターゲットAMF(AMF2)として選択する。
【０２０１】
ステップ1008:AMF1は、登録要求をAMF2に転送し、登録要求は、UEの5G  GUTI及びUEに対して許可されるネットワークスライスに関する情報(Allowed  NSSAI)を含む。
【０２０２】
ステップ1005〜ステップ1009は、上記の実施形態における関連するステップと同じである。詳細は、ここでは再び説明しない。
【０２０３】
ハンドオーバできないPDUセッションについて、AMF1又はAMF 2は、ハンドオーバ拒否メッセージをソースAMFに返信してもよい点に留意すべきである。具体的には、AMF1又はAMF2は、UEに対して許可されるネットワークスライス及び確立されたPDUセッションに対応するネットワークスライスに基づいて、確立されたPDUセッションに対応するネットワークスライスがUEに対して許可されるネットワークスライスに含まれるか否かを決定してもよい。確立されたPDUセッションに対応するネットワークスライスがUEに対して許可されるネットワークスライスに含まれない場合、AMF1又はAMF2は、PDUセッションがハンドオーバできないと決定する。ハンドオーバできないPDUセッションを決定した後に、AMF1又はAMF2は、ハンドオーバ拒否メッセージをソースAMFに返信し、ハンドオーバ拒否メッセージは、ハンドオーバできないPDUセッションに関する情報を搬送し、それにより、ソースAMFは、その後にPDUセッション解放要求メッセージを、ハンドオーバできないPDUセッションに対応するSMFに送信する。
【０２０４】
本発明のこの実施形態では、UEがソース基地局を使用することにより5GネットワークにおけるソースAMFに登録し、次いで、アイドル状態になった場合、AMF(ソースAMF)領域から他のAMF(ターゲットAMF)領域に移動するとき、UEは、登録手順を通じて5Gネットワークに再登録できる。この場合、UEはモビリティハンドオーバを実現できる。
【０２０５】
本発明の実施形態における解決策は、主に、ネットワークエレメントの間の相互作用の観点から上述されている。上記の機能を実現するために、モビリティ管理エンティティ(AMF又はMME)及び様々な基地局は、機能を実行するための対応するハードウェア構造及び/又はソフトウェアモジュールを含むことが理解できる。当業者は、本発明がこの明細書に開示の実施形態に記載された例示的なユニット及びアルゴリズムステップを参照して、ハードウェアの形式で或いはハードウェアとコンピュータソフトウェアとの組み合わせの形式で実現できることを容易に理解すべきである。機能がハードウェアにより実行されるか、コンピュータソフトウェアにより駆動されるハードウェアにより実行されるかは、技術的解決策の特定の用途及び設計上の制約に依存する。当業者は、特定の用途毎に、記載の機能を実現するために異なる方法を使用し得るが、実現方式が本発明の範囲を超えるものであると考えられるべきではない。
【０２０６】
本発明の実施形態では、機能モジュールの分割は、モビリティ管理エンティティについて上記の方法の例に従って実行されてもよい。例えば、機能モジュールは、機能に対応するように分割されてもよく、或いは、2つ以上の機能が処理モジュールに統合されてもよい。統合されたモジュールは、ハードウェアの形式で実現されてもよく、或いは、ソフトウェア機能モジュールの形式で実現されてもよい。本発明の実施形態におけるモジュール分割は例であり、単なる論理的な機能分割であり、実際の実現方式では他の分割でもよい点に留意すべきである。例えば、機能モジュールが機能に対応するように分割される場合、図１１は、上記の実施形態におけるモビリティ管理装置の可能な概略構造図である。装置1100は、第1の取得ユニット1101と第2の取得ユニット1103とを含む。第1の取得ユニット1101は、ユーザ装置UEの確立されたPDN接続に関する情報及び加入ネットワークスライスに関する情報を取得するように構成される。第2の取得ユニット1103は、確立されたPDN接続に関する情報及び加入ネットワークスライスに関する情報に基づいて、UEに対して許可されるネットワークスライスに関する情報を取得するように構成される。
【０２０７】
任意選択で、第2の取得ユニット1103が、確立されたPDN接続に関する情報及び加入ネットワークスライスに関する情報に基づいて、UEに対して許可されるネットワークスライスに関する情報を取得するように構成されることは、具体的には、確立されたPDN接続に関する情報に基づいて、確立されたPDN接続に対応するネットワークスライスに関する情報を取得し、確立されたPDN接続に対応するネットワークスライスに関する情報及び加入ネットワークスライスに関する情報に基づいて、UEに対して許可されるネットワークスライスに関する情報を取得することである。
【０２０８】
可能な実現方式では、第2の取得ユニット1103が、確立されたPDN接続に関する情報に基づいて、確立されたPDN接続に対応するネットワークスライスに関する情報を取得するように構成されることは、具体的には、確立されたPDN接続に対応するセッション管理機能エンティティから、確立されたPDN接続に対応するネットワークスライスに関する情報を取得することである。
【０２０９】
可能な実現方式では、第2の取得ユニット1103が、確立されたPDN接続に対応するネットワークスライスに関する情報及び加入ネットワークスライスに関する情報に基づいて、UEに対して許可されるネットワークスライスに関する情報を取得するように構成されることは、具体的には、スライス選択要求をネットワークスライス選択機能エンティティに送信することであり、スライス選択要求は、確立されたPDN接続に対応するネットワークスライスに関する情報及び加入ネットワークスライスに関する情報を含む、ことと、ネットワークスライス選択機能エンティティにより返信されたスライス選択応答を受信することであり、スライス選択応答は、UEに対して許可されるネットワークスライスに関する情報を含む、ことである。
【０２１０】
可能な実現方式では、第2の取得ユニット1103が、確立されたPDN接続に関する情報及び加入ネットワークスライスに関する情報に基づいて、UEに対して許可されるネットワークスライスに関する情報を取得するように構成されることは、具体的には、スライス選択要求をネットワークスライス選択機能エンティティに送信することであり、スライス選択要求は、確立されたPDN接続に関する情報及び加入ネットワークスライスに関する情報を含む、ことと、ネットワークスライス選択機能エンティティにより返信されたスライス選択応答を受信することであり、スライス選択応答は、UEに対して許可されるネットワークスライスに関する情報を含む、ことである。
【０２１１】
確立されたPDN接続に関する情報は、PDN接続に対応するセッション管理機能エンティティの識別子又はPDN接続に対応するアクセスポイント名APNである。
【０２１２】
上記の方法の実施形態におけるステップの全ての関連する内容は、対応する機能モジュールの機能説明のために使用できる。詳細は、ここでは再び説明しない。
【０２１３】
上記のモビリティ管理装置は、集積回路(integrated  circuit,  IC)、無線周波数集積回路(radio  frequency  integrated  circuit,  RFIC)、プリント回路基板(printed  circuit  board,  PCB)等で実現できる。さらに、当該装置は、独立したデバイスとすることができ、或いは、比較的大きいデバイスの一部でもよい。上記の方法の実施形態におけるステップの全ての関連する内容は、対応する機能モジュールの機能説明のために使用できる。詳細は、ここでは再び説明しない。
【０２１４】
この実施形態では、モビリティ管理装置1100は、機能に対応するように機能モジュールを分割する形式で提示されるか、或いは、モビリティ管理装置1100は、機能モジュールを統合された方式で分割する形式で提示される。ここでの「モジュール」は、特定用途向け集積回路(application-specific  integrated  circuit,  ASIC)、1つ以上のソフトウェア又はファームウェアプログラムを実行するための回路、プロセッサ及びメモリ、集積論理回路、及び/又は上記の機能を提供できる他のデバイスでもよい。簡単な実施形態では、当業者は、モビリティ管理装置1100が図２に示す形式で実現されてもよいことを理解し得る。
【０２１５】
例えば、図２におけるプロセッサ21は、メモリ23に記憶されたコンピュータ実行可能命令を呼び出すことができ、それにより、モビリティ管理装置は、上記の方法の実施形態におけるモビリティ管理方法を実行する。具体的には、図１１における第1の取得ユニット1101及び第2の取得ユニット1103の機能/実現プロセスは、メモリ23に記憶されたコンピュータ実行可能命令を呼び出す図２におけるプロセッサ21により実現できる。
【０２１６】
図１２に示すように、モビリティ管理システム1200が更に提供され、当該システムは、ネットワークデバイス1201と第1のモビリティ管理エンティティ1203とを含む。
【０２１７】
ネットワークデバイス1201は、ユーザ装置UEのグローバル一意一時識別子GUTI又はUEによりアクセスされる専用コアネットワークの識別子と、UEのターゲットアクセス領域に関する情報とに基づいて、第1のモビリティ管理エンティティを取得し、第1の要求メッセージを第1のモビリティ管理エンティティに送信するように構成され、GUTIは、UEにサービス提供するモビリティ管理エンティティに関する情報を含む。
【０２１８】
第1のモビリティ管理エンティティ1203は、受信した第1の要求メッセージに基づいて、確立されたPDN接続に関する情報及びUEの加入ネットワークスライスに関する情報を取得し、確立されたPDN接続に関する情報及び加入ネットワークスライスに関する情報に基づいて、UEに対して許可されるネットワークスライスに関する情報を取得するように構成される。
【０２１９】
可能な実現方式では、第1の要求メッセージは、ハンドオーバ要求又は登録要求である。第1の要求メッセージがハンドオーバ要求であるとき、第1の要求メッセージは、確立されたPDN接続に関する情報を含む。第1の要求メッセージが登録要求であるとき、第1の要求メッセージは、GUTIを含む。第1のモビリティ管理エンティティが、受信した第1の要求メッセージに基づいて、UEの確立されたPDN接続に関する情報を取得するように構成されることは、具体的には、第1のモビリティ管理エンティティにより、GUTIに含まれる、UEにサービス提供するモビリティ管理エンティティに関する情報に基づいて、UEにサービス提供するモビリティ管理エンティティから、確立されたPDN接続に関する情報を取得することである。
【０２２０】
可能な実現方式では、UEにサービス提供するモビリティ管理エンティティMMEに関する情報は、モビリティ管理エンティティの識別子であり、MMEの識別子は、MMEが属するMMEグループの識別子及びMMEコード番号を含む。ネットワークデバイスが、ユーザ装置UEのグローバル一意一時識別子GUTI及びUEのターゲットアクセス領域に関する情報に基づいて、第1のモビリティ管理エンティティを取得することは、具体的には、ネットワークデバイスにより、MMEの識別子及びターゲットアクセス領域に関する情報に基づいて、第1のモビリティ管理エンティティを取得することである。
【０２２１】
任意選択で、UEにサービス提供するモビリティ管理エンティティに関する情報は、アクセス及びモビリティ管理機能AMFに関する情報であり、AMFに関する情報は、UEにサービス提供するAMFが位置する領域に関する情報及びUEにサービス提供するAMFが属するセットに関する情報を含む。ネットワークデバイスが、ユーザ装置UEのグローバル一意一時識別子GUTI及びUEのターゲットアクセス領域に関する情報に基づいて、第1のモビリティ管理エンティティを取得することは、具体的には、ネットワークデバイスにより、UEにサービス提供するAMFが位置する領域に関する情報、UEにサービス提供するAMFが位置するセットに関する情報及びターゲットアクセス領域に関する情報に基づいて、第1のモビリティ管理エンティティを取得することである。
【０２２２】
第1のモビリティ管理エンティティ1203は、図１１におけるモビリティ管理装置と同じである点に留意すべきである。上記の方法の実施形態におけるステップの全ての関連する内容は、第1のモビリティ管理エンティティ1203の機能説明のために使用できる。詳細は、ここでは再び説明しない。
【０２２３】
任意選択で、この出願の実施形態は、チップシステムを更に提供し、チップシステムは、上記のモビリティ管理方法を実現する際にモビリティ管理装置をサポートするように構成されたプロセッサを含む。可能な設計では、チップシステムは、メモリを更に含む。メモリは、モビリティ管理装置に必要なプログラム命令及びデータを記憶するように構成される。チップシステムは、チップを含んでもよく、或いは、チップ及び他の個別のデバイスを含んでもよい。これは、この出願のこの実施形態では具体的に限定されない。
【０２２４】
本発明は、実施形態を参照して記載されているが、保護を請求する本発明を実現するプロセスにおいて、当業者は、添付の図面、開示の内容及び添付の請求項を見ることにより、開示の実施形態の他の変形を理解して実現し得る。特許請求の範囲において、「含む(comprising)」は、他のコンポーネント又は他のステップを除外せず、単数又は「1つ」は、複数の意味を除外しない。単一のプロセッサ又は他のユニットは、特許請求の範囲に列挙されるいくつかの機能を実現してもよい。いくつかの手段は、互いに異なる従属項に記録されるが、これは、これらの手段がより良い効果を生み出すように組み合わせられることができないことを意味しない。
【０２２５】
当業者は、本発明の実施形態が、方法、装置(デバイス)又はコンピュータプログラムプロダクトとして提供されてもよいことを理解すべきである。したがって、本発明は、ハードウェアのみの実施形態、ソフトウェアのみの実施形態又はソフトウェアとハードウェアとの組み合わせを用いた実施形態の形式を使用してもよい。さらに、本発明は、コンピュータ使用可能プログラムコードを含む1つ以上のコンピュータ使用可能記憶媒体(ディスクメモリ、CD-ROM、光メモリ等を含むが、これらに限定されない)に実現されるコンピュータプログラムプロダクトの形式を使用してもよい。コンピュータプログラムは、適切な媒体に記憶/分配され、他のハードウェアと共にハードウェアの一部として提供又は使用されるか、或いは、インターネット又は他の有線若しくは無線通信システムを使用すること等により、他の割り当て形式を使用してもよい。
【０２２６】
本発明は、本発明の実施形態による方法、装置(デバイス)及びコンピュータプログラムプロダクトのフローチャート及び/又はブロック図を参照して説明される。コンピュータプログラム命令は、フローチャート及び/又はブロック図内の各プロセス及び/又は各ブロックと、フローチャート及び/又はブロック図内のプロセス及び/又はブロックの組み合わせとを実現するために使用され得ることが理解されるべきである。これらのコンピュータプログラム命令は、マシンを生成するように、汎用コンピュータ、専用コンピュータ、埋め込みプロセッサ又はいずれかの他のプログラム可能データ処理デバイスのプロセッサに提供されてもよく、それにより、コンピュータ又はいずれかの他のプログラム可能データ処理デバイスのプロセッサで実行される命令は、フローチャート内の1つ以上の手順及び/又はブロック図内の1つ以上のブロックにおける特定の機能を実現するための装置を生成する。
【０２２７】
これらのコンピュータプログラム命令はまた、コンピュータ又はいずれかの他のプログラム可能データ処理デバイスに対して、特定の方式で動作するように命令できるコンピュータ読み取り可能メモリに記憶されてもよく、それにより、コンピュータ読み取り可能メモリに記憶された命令は、命令装置を含むアーチファクトを生成する。命令装置は、フローチャート内の1つ以上のプロセス及び/又はブロック図内の1つ以上のブロックにおける特定の機能を実現する。
【０２２８】
これらのコンピュータプログラム命令はまた、コンピュータ又は他のプログラム可能データ処理デバイスにロードされてもよく、それにより、一連の動作及びステップがコンピュータ又は他のプログラム可能デバイス上で実行され、それにより、コンピュータで実現される処理を生成する。したがって、コンピュータ又は他のプログラム可能デバイス上で実行される命令は、フローチャート内の1つ以上の手順及び/又はブロック図内の1つ以上のブロックにおける特定の機能を実現するためのステップを提供する。
【０２２９】
本発明は、特定の特徴及びその実施形態を参照して記載されているが、明らかに、本発明の真意及び範囲から逸脱することなく、それらに様々な修正及び組み合わせが行われてもよい。対応して、明細書及び添付の図面は、添付の特許請求の範囲により定義される本発明の単なる例であり、本発明の範囲をカバーする修正、変形、組み合わせ又は均等物のいずれか又は全てと考えられる。明らかに、当業者は、本発明の真意及び範囲から逸脱することなく、本発明に対して様々な修正及び変形を行うことができる。本発明は、以下の特許請求の範囲及びそれらの均等な技術により定義される保護の範囲内に入ることを前提に、これらの修正及び変形をカバーすることを意図する。
【図１】
2020537452.tif 000007
【図２】
2020537452.tif 000008
【図３】
2020537452.tif 000009
【図４】
2020537452.tif 000010
【図５】
2020537452.tif 000011
【図６】
2020537452.tif 000012
【図７】
2020537452.tif 000013
【図８】
2020537452.tif 000014
【図９】
2020537452.tif 000015
【図１０】
2020537452.tif 000016
【図１１】
2020537452.tif 000017
【図１２】
2020537452.tif 000018
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
モビリティ管理システムであって、
ユーザ装置(UE)の確立されたPDN接続に対応するセッション管理機能エンティティの識別子及び前記UEの加入ネットワークスライスに関する情報を取得し、
前記セッション管理機能エンティティの前記識別子に基づいて、第1の要求メッセージを前記セッション管理機能エンティティに送信し、
前記セッション管理機能エンティティから第1の応答メッセージを受信し、前記応答メッセージは、前記確立されたPDN接続に対応する前記ネットワークスライスに関する前記情報を含み、
前記確立されたPDN接続に対応する前記ネットワークスライスに関する前記情報及び前記加入ネットワークスライスに関する前記情報に基づいて、前記UEに対して許可されるネットワークスライスに関する情報を取得する
ように構成された第1のモビリティ管理エンティティと、
前記第1のモビリティ管理エンティティから前記第1の要求メッセージを受信し、
前記確立されたPDN接続に対応する前記ネットワークスライスに関する前記情報を取得し、
前記第1の応答メッセージを前記第1のモビリティ管理エンティティに送信する
ように構成された前記セッション管理機能エンティティと
を含むシステム。
【請求項２】
当該システムは、ネットワークスライス選択機能エンティティを更に含み、
前記第1のモビリティ管理エンティティは、
スライス選択要求を前記ネットワークスライス選択機能エンティティに送信し、前記スライス選択要求は、前記確立されたPDN接続に対応する前記ネットワークスライスに関する前記情報及び前記UEの前記加入ネットワークスライスに関する前記情報を含み、
前記ネットワークスライス選択機能エンティティからスライス選択応答を受信し、前記スライス選択応答は、前記UEに対して許可される前記ネットワークスライスに関する前記情報を含む
ように更に構成され、
前記ネットワークスライス選択機能エンティティは、
前記第1のモビリティ管理エンティティから前記スライス選択要求を受信し、
前記確立されたPDN接続に対応する前記ネットワークスライスに関する前記情報及び前記UEの前記加入ネットワークスライスに関する前記情報に基づいて、前記UEに対して許可される前記ネットワークスライスに関する情報を決定し、
前記スライス選択応答を前記第1のモビリティ管理エンティティに送信する
ように構成される、請求項１に記載のシステム。
【請求項３】
前記ネットワークスライス選択機能エンティティは、
前記確立されたPDN接続に対応する前記ネットワークスライスに関する前記情報及び前記UEの前記加入ネットワークスライスに関する前記情報に基づいて、ターゲットAMFセットを決定し、前記スライス選択応答は、前記ターゲットAMFセットを更に含む
ように更に構成される、請求項２に記載のシステム。
【請求項４】
前記第1のモビリティ管理エンティティは、
前記ターゲットAMFセットに基づいて、第2のモビリティ管理エンティティを決定し、
第3の要求メッセージを前記第2のモビリティ管理エンティティに送信し、前記第3の要求メッセージは、前記UEに対して許可されるネットワークスライスに関する前記情報を含む
ように更に構成される、請求項３に記載のシステム。
【請求項５】
前記第1のモビリティ管理エンティティは、
第3のモビリティ管理エンティティから前記セッション管理機能エンティティの前記識別子を受信する
ように更に構成される、請求項１乃至４のうちいずれか１項に記載のシステム。
【請求項６】
前記第1のモビリティ管理エンティティは、
統一データ管理エンティティから前記UEの前記加入ネットワークスライスに関する前記情報を取得する
ように更に構成される、請求項１乃至５のうちいずれか１項に記載のシステム。
【請求項７】
前記セッション管理機能エンティティの前記識別子は、前記セッション管理機能エンティティの完全修飾ドメイン名である、請求項１乃至６のうちいずれか１項に記載のシステム。
【請求項８】
モビリティ管理方法であって、
第1のモビリティ管理エンティティにより、ユーザ装置(UE)の確立されたPDN接続に対応するセッション管理機能エンティティの識別子及び前記UEの加入ネットワークスライスに関する情報を取得するステップと、
前記第1のモビリティ管理エンティティにより、前記セッション管理機能エンティティの前記識別子に基づいて、第1の要求メッセージを前記セッション管理機能エンティティに送信するステップと、
前記第1のモビリティ管理エンティティにより、前記セッション管理機能エンティティから第1の応答メッセージを受信するステップであり、前記応答メッセージは、前記確立されたPDN接続に対応する前記ネットワークスライスに関する前記情報を含む、ステップと、
前記第1のモビリティ管理エンティティにより、前記確立されたPDN接続に対応する前記ネットワークスライスに関する前記情報及び前記加入ネットワークスライスに関する前記情報に基づいて、前記UEに対して許可されるネットワークスライスに関する情報を取得するステップと
を含む方法。
【請求項９】
前記UEに対して許可される前記ネットワークスライスに関する前記情報を取得することは、
前記第1のモビリティ管理エンティティにより、スライス選択要求をネットワークスライス選択機能エンティティに送信し、前記スライス選択要求は、前記確立されたPDN接続に対応する前記ネットワークスライスに関する前記情報及び前記加入ネットワークスライスに関する前記情報を含み、
前記第1のモビリティ管理エンティティにより、前記ネットワークスライス選択機能エンティティからスライス選択応答を受信し、前記スライス選択応答は、前記UEに対して許可される前記ネットワークスライスに関する前記情報を含む
ことを含む、請求項８に記載の方法。
【請求項１０】
前記スライス選択応答は、ターゲットAMFセットを更に含む、請求項９に記載の方法。
【請求項１１】
前記第1のモビリティ管理エンティティにより、前記ターゲットAMFセットに基づいて、第2のモビリティ管理エンティティを決定するステップと、
前記第1のモビリティ管理エンティティにより、第3の要求メッセージを前記第2のモビリティ管理エンティティに送信するステップであり、前記第3の要求メッセージは、前記UEに対して許可されるネットワークスライスに関する前記情報を含む、ステップと
を更に含む、請求項１０に記載の方法。
【請求項１２】
前記UEの前記加入ネットワークスライスに関する前記情報を取得することは、
前記第1のモビリティ管理エンティティにより、統一データ管理エンティティから前記UEの前記加入ネットワークスライスに関する前記情報を取得する
ことを含む、請求項８乃至１１のうちいずれか１項に記載の方法。
【請求項１３】
確立されたPDN接続に対応する前記セッション管理機能エンティティの前記識別子を取得することは、
前記第1のモビリティ管理エンティティにより、第3のモビリティ管理エンティティから前記セッション管理機能エンティティの前記識別子を受信する
ことを含む、請求項８乃至１２のうちいずれか１項に記載の方法。
【請求項１４】
前記第1のモビリティ管理エンティティにより、PDN接続ハンドオーバ拒否メッセージを前記第3のモビリティ管理エンティティに送信するステップであり、前記PDN接続ハンドオーバ拒否メッセージは、ハンドオーバできないPDN接続に関する情報を含み、ハンドオーバできない前記PDN接続は、前記確立されたPDN接続のうちいずれか1つである、ステップを更に含む、請求項１３に記載の方法。
【請求項１５】
前記セッション管理機能エンティティの前記識別子は、前記セッション管理機能エンティティの完全修飾ドメイン名である、請求項８乃至１４のうちいずれか１項に記載の方法。
【請求項１６】
モビリティ管理装置であって、
プロセッサと、
前記プロセッサに結合され、記憶されたプログラム命令を有するメモリと
を含み、
前記プログラム命令は、前記プロセッサにより実行されたとき、当該装置に対して、
ユーザ装置(UE)の確立されたPDN接続に対応するセッション管理機能エンティティの識別子及び前記UEの加入ネットワークスライスに関する情報を取得し、
前記セッション管理機能エンティティの前記識別子に基づいて、第1の要求メッセージを前記セッション管理機能エンティティに送信し、
前記セッション管理機能エンティティから第1の応答メッセージを受信し、前記応答メッセージは、前記確立されたPDN接続に対応する前記ネットワークスライスに関する前記情報を含み、
前記確立されたPDN接続に対応する前記ネットワークスライスに関する前記情報及び前記加入ネットワークスライスに関する前記情報に基づいて、前記UEに対して許可されるネットワークスライスに関する情報を取得する
ことを含む動作を実行させる、モビリティ管理装置。
【請求項１７】
前記UEに対して許可される前記ネットワークスライスに関する前記情報を取得する前記動作は、
スライス選択要求をネットワークスライス選択機能エンティティに送信し、前記スライス選択要求は、前記確立されたPDN接続に対応する前記ネットワークスライスに関する前記情報及び前記加入ネットワークスライスに関する前記情報を含み、
前記ネットワークスライス選択機能エンティティからスライス選択応答を受信し、前記スライス選択応答は、前記UEに対して許可される前記ネットワークスライスに関する前記情報を含む
ことを含む、請求項１６に記載のモビリティ管理装置。
【請求項１８】
前記スライス選択応答は、ターゲットAMFセットを更に含む、請求項１７に記載のモビリティ管理装置。
【請求項１９】
前記動作は、
前記ターゲットAMFセットに基づいて、第2のモビリティ管理エンティティを決定し、
第3の要求メッセージを前記第2のモビリティ管理エンティティに送信し、前記第3の要求メッセージは、前記UEに対して許可される前記ネットワークスライスに関する前記情報を含む
ことを更に含む、請求項１８に記載のモビリティ管理装置。
【請求項２０】
前記UEの前記加入ネットワークスライスに関する前記情報を取得する前記動作は、
統一データ管理エンティティから前記UEの前記加入ネットワークスライスに関する前記情報を取得する
ことを含む、請求項１６乃至１９のうちいずれか１項に記載のモビリティ管理装置。
【請求項２１】
確立されたPDN接続に対応する前記セッション管理機能エンティティの前記識別子を取得する前記動作は、
第3のモビリティ管理エンティティから前記セッション管理機能エンティティの前記識別子を受信する
ことを含む、請求項１６乃至２０のうちいずれか１項に記載のモビリティ管理装置。
【請求項２２】
前記動作は、
PDN接続ハンドオーバ拒否メッセージを前記第3のモビリティ管理エンティティに送信し、前記PDN接続ハンドオーバ拒否メッセージは、ハンドオーバできないPDN接続に関する情報を含み、ハンドオーバできない前記PDN接続は、前記確立されたPDN接続のうちいずれか1つである
ことを更に含む、請求項２１に記載のモビリティ管理装置。
【請求項２３】
前記セッション管理機能エンティティの前記識別子は、前記セッション管理機能エンティティの完全修飾ドメイン名である、請求項１６乃至２２のうちいずれか１項に記載のモビリティ管理装置。
【請求項２４】
命令を含むコンピュータ読み取り可能記憶媒体であって、
前記命令がコンピュータ上で実行されたとき、前記コンピュータが、請求項８乃至１５のうちいずれか１項に記載の方法を実行することを生じる、コンピュータ読み取り可能記憶媒体。
【手続補正２】
【補正対象書類名】明細書
【補正対象項目名】００１３
【補正方法】変更
【補正の内容】
【００１３】
他の可能な実現方式では、第1のモビリティ管理エンティティにより、ユーザ装置UEの確立されたPDN接続に関する情報を取得する前に、当該方法は、第1のモビリティ管理エンティティにより、ネットワークデバイスから第1の要求メッセージを受信するステップであり、第1の要求メッセージは、確立されたPDN接続に関する情報を搬送し、第1のモビリティ管理エンティティは、ネットワークデバイスにより、UEのターゲットアクセス領域に関する情報と、以下のパラメータ、すなわち、UEによりアクセスされる専用コアネットワークの識別子又はUEのグローバル一意一時識別子GUTIのうち1つとに基づいて決定され、GUTIは、UEにサービス提供するモビリティ管理エンティティに関する情報を含む、ステップを更に含む。第1の要求メッセージは、図３の実施形態のステップ303又は図４の実施形態のステップ403におけるハンドオーバ要求でもよく、ネットワークデバイスは、ハンドオーバの前にUEのためのアクセスサービスを提供するモビリティ管理エンティティMMEでもよい。
【手続補正３】
【補正対象書類名】明細書
【補正対象項目名】００３５
【補正方法】変更
【補正の内容】
【００３５】
図２は、本発明の実施形態によるコンピュータデバイス200の概略図である。コンピュータデバイス200は、少なくとも1つのプロセッサ21と、通信バス22と、メモリ23と、少なくとも1つの通信インタフェース24とを含む。
【手続補正４】
【補正対象書類名】明細書
【補正対象項目名】００８４
【補正方法】変更
【補正の内容】
【００８４】
AMF1又はAMF 2は、確立されたPDN接続に関する情報及びUEに対して許可されるネットワークスライスに関する情報に基づいて、ハンドオーバできないPDN接続を決定してもよい点に留意すべきである。ハンドオーバできないPDN接続について、AMF1又はAMF2は、ハンドオーバ拒否メッセージをMMEに返信してもよく、ハンドオーバ拒否メッセージは、ハンドオーバできないPDN接続に関する情報を含む。具体的には、AMF1又はAMF2は、UEに対して許可されるネットワークスライス及び確立されたPDN接続に対応するネットワークスライスに基づいて、確立されたPDN接続に対応するネットワークスライスがUEに対して許可されるネットワークスライスに含まれるか否かを決定してもよい。確立されたPDN接続に対応するネットワークスライスがUEに対して許可されるネットワークスライスに含まれない場合、AMF1又はAMF2は、PDN接続がハンドオーバできないと決定する。ハンドオーバできないPDN接続を決定した後に、AMF1又はAMF2は、ハンドオーバ拒否メッセージをMMEに返信し、ハンドオーバ拒否メッセージは、ハンドオーバできないPDN接続に関する情報を搬送し、それにより、MMEは、その後に対応するPDN接続解放手順を開始する。
【手続補正５】
【補正対象書類名】明細書
【補正対象項目名】００８５
【補正方法】変更
【補正の内容】
【００８５】
本発明のこの実施形態では、4Gネットワークから5GネットワークへのUEのハンドオーバの間に、MMEは、初期AMFを決定する。次いで、初期AMFは、4GネットワークにおけるUEの確立されたPDN接続に関する情報に基づいて、UEの確立されたPDN接続に対応するネットワークスライスを取得し、UEの加入ネットワークスライスに関する情報等を参照して、5GネットワークにハンドオーバできるPDN接続に対応するネットワークスライスを更に取得する。したがって、ユーザ装置が4GネットワークにおいてDCNサービスを享受する4Gカバレッジエリアから5G基地局のカバレッジエリアに移動するとき、ユーザ装置は、適切なネットワークスライスにハンドオーバでき、元の4Gネットワークにおけるネットワークサービスと同等のネットワークサービスを依然として享受できる。ユーザ装置は、4GネットワークにおけるPDN接続に対応するネットワークスライスインスタンスにハンドオーバでき、それにより、ユーザ装置が元の4Gネットワークにおけるネットワークサービスと同等のネットワークサービスを享受できる一方で、サービス継続性が確保できる。
【手続補正６】
【補正対象書類名】明細書
【補正対象項目名】０１７８
【補正方法】変更
【補正の内容】
【０１７８】
具体的には、第1のハンドオーバ要求は、ユーザ装置により報告されたセル測定情報に基づいて判断が行われた後に、ソース基地局によりソースAMFに送信されてもよい。ターゲットアクセス領域に関する情報は、ターゲットセルの識別子、ターゲット基地局の識別子及びターゲットトラッキングエリアの識別子のうち少なくとも1つを含んでもよい。ターゲットセルの識別子は、ターゲットセルを一意に識別するために使用され、ターゲットセルは、UEによりアクセスされるべきセルである。ターゲット基地局の識別子は、ターゲット基地局を一意に識別するために使用され、ターゲット基地局は、アクセス対象のセルが属する基地局である。ターゲットトラッキングエリアの識別子は、ターゲットトラッキングエリアを一意に識別するために使用され、ターゲットトラッキングエリアは、アクセス対象のセルが位置するトラッキングエリアである。
【手続補正７】
【補正対象書類名】明細書
【補正対象項目名】０１８２
【補正方法】変更
【補正の内容】
【０１８２】
他の可能な実現方式では、ソースAMFは、スライス選択要求をNSSFに送信し、スライス選択要求は、UEにより要求されたネットワークスライスに関する情報(Requested  NSSAI)、確立されたPDUセッションに関する情報及びUEの加入ネットワークスライスに関する情報を含む。NSSFは、UEにより要求されたネットワークスライスに関する情報(Requested  NSSAI)、確立されたPDUセッションに関する情報及びUEの加入ネットワークスライスに関する情報に基づいて、UEに対して許可されるネットワークスライスに関する情報及びターゲットAMFセットに関する情報を決定する。ターゲットAMFセットに関する情報は、ターゲットAMFセットの識別子又は候補AMFの識別子を含むリストでもよい。任意選択で、スライス選択要求内の確立されたPDUセッションに関する情報は、確立されたPDUセッションに関する情報に基づいてソースAMFにより決定された、確立されたPDUセッションに対応するネットワークスライスに関する情報(対応するS-NSSAI、任意選択で、ネットワークスライスインスタンスの識別子を更に含む)と置き換えられてもよい。UEにより要求されたネットワークスライスに関する情報(Requested  NSSAI)及び確立されたPDUセッションに関する情報は、ソースAMFにより、UEの識別子に基づいてUEのコンテキストから取得されてもよい。確立されたPDUセッションに関する情報は、PDUセッションに対応するSMFの識別子でもよい。
【手続補正８】
【補正対象書類名】明細書
【補正対象項目名】０１９８
【補正方法】変更
【補正の内容】
【０１９８】
ステップ1005:AMF1は、ユーザデータ管理エンティティ(HSS/UDM)からUEの加入データを取得する。
ステップ1006:AMF1は、スライス選択要求をネットワークスライス選択機能(NSSF)に送信する。
【手続補正９】
【補正対象書類名】明細書
【補正対象項目名】０１９９
【補正方法】変更
【補正の内容】
【０１９９】
ステップ1007:NSSFは、スライス選択応答をAMF1に返信し、スライス選択応答は、UEに対して許可されるネットワークスライスに関する情報(Allowed  NSSAI)及びターゲットAMFセットに関する情報を含む。
【手続補正１０】
【補正対象書類名】明細書
【補正対象項目名】０２００
【補正方法】変更
【補正の内容】
【０２００】
ステップ1008:AMF1は、ターゲットAMFセットから1つのAMFを、ターゲットAMF(AMF2)として選択する。
【手続補正１１】
【補正対象書類名】明細書
【補正対象項目名】０２０１
【補正方法】変更
【補正の内容】
【０２０１】
ステップ1009:AMF1は、登録要求をAMF2に転送し、登録要求は、UEの5G  GUTI及びUEに対して許可されるネットワークスライスに関する情報(Allowed  NSSAI)を含む。
【国際調査報告】
2020537452.tif 000019
2020537452.tif 000020
2020537452.tif 000021
2020537452.tif 000022